(57)【要約】      （修正有）【課題】使用者が左手用電極を左手に接触させ右手用電極を左手に接触させているかを判別する。【解決手段】使用者が把持可能な左手用グリップ部４０に離間配置された左手用の通電用電極４２及び測定用電極４１、並びに、使用者が把持可能な右手用グリップ部に離間配置された右手用の通電用電極及び測定用電極、を備え、使用者の生体インピーダンスを測定する生体測定装置において、左手用グリップ部４０及び右手用グリップ部のそれぞれには、使用者による把持状態に応じた信号を出力するセンサー部４３が配置されており、センサー部４３の出力信号に基づいて、左手用グリップ部４０及び右手用グリップ部を使用者が左右いずれの手によって把持しているか、を判別する判別部を有する。【選択図】図５
2014042749.tif 000002
【特許請求の範囲】
【請求項１】
使用者が把持可能な左手用グリップ部に離間配置された左手用の通電用電極及び測定用電極、並びに、使用者が把持可能な右手用グリップ部に離間配置された右手用の通電用電極及び測定用電極、を備え、前記使用者の生体インピーダンスを測定する生体測定装置において、
前記左手用グリップ部及び前記右手用グリップ部のそれぞれには、前記使用者による把持状態に応じた信号を出力するセンサー部が配置されており、
前記センサー部の出力信号に基づいて、前記左手用グリップ部及び前記右手用グリップ部を前記使用者が左右いずれの手によって把持しているか、を判別する判別部を有すること
を特徴とする生体測定装置。
【請求項２】
前記判別部は、前記センサー部が前記使用者の手の平側又は指側のいずれによって覆われているかを、前記使用者が前記左手用グリップ部及び前記右手用グリップ部を把持しているときの前記センサー部の出力信号に基づいて判別し、該判別の結果に応じて、前記左手用グリップ部及び前記右手用グリップ部を前記使用者が左右いずれの手によって把持しているか、を判別することを特徴とする請求項１に記載の生体測定装置。
【請求項３】
前記センサー部は、前記左手用グリップ部の周面及び前記右手用グリップ部の周面のうち、それぞれの前記通電用電極と前記測定用電極との間に配置されていることを特徴とする請求項１又は請求項２に記載の生体測定装置。
【請求項４】
前記左手用グリップ部の周面のうち、使用者が把持した場合に、親指側が接触する位置に左手用の第１機能用電極が配置され、他の指側が接触する位置に左手用の第２機能用電極が配置され、
前記右手用グリップ部の周面のうち、使用者が把持した場合に、親指側が接触する位置に右手用の第１機能用電極が配置され、他の指側が接触する位置に右手用の第２機能用電極が配置されており、
前記第１機能用電極が前記測定用電極として機能し前記第２機能用電極が前記通電用電極として機能する、又は、前記第１機能用電極が前記通電用電極として機能し前記第２機能用電極が前記測定用電極として機能するように構成され、
前記センサー部は、前記左手用グリップ部の周面のうち、使用者が左手で把持した場合に左の手の平側で覆われる位置に設けられた前記左手用グリップ部のセンサー部と、前記右手用グリップ部の周面のうち、使用者が右手で把持した場合に右の手の平側で覆われる位置に設けられた前記右手用グリップ部のセンサー部と、を有し、
前記判別部は、前記使用者が前記左手用グリップ部及び前記右手用グリップ部を把持しているときの前記左手用グリップ部のセンサー部の出力信号及び前記右手用グリップ部のセンサー部の出力信号が、いずれも所定閾値以上の場合には、前記左手用グリップ部を左手によって、前記右手用グリップ部を右手によって把持していると判別し、いずれも所定閾値未満の場合には、前記左手用グリップ部を右手によって、前記右手用グリップ部を左手によって把持していると判別すること
を特徴とする請求項１乃至請求項３のうち、いずれか１に記載の生体測定装置。
【請求項５】
前記左手用グリップ部の周面のうち、使用者が把持した場合に、親指側が接触する位置に左手用の第１機能用電極が配置され、他の指側が接触する位置に左手用の第２機能用電極が配置され、
前記右手用グリップ部の周面のうち、使用者が把持した場合に、親指側が接触する位置に右手用の第１機能用電極が配置され、他の指側が接触する位置に右手用の第２機能用電極が配置されており、
前記第１機能用電極が前記測定用電極として機能し前記第２機能用電極が前記通電用電極として機能する、又は、前記第１機能用電極が前記通電用電極として機能し前記第２機能用電極が前記測定用電極として機能するように構成され、
前記センサー部は、前記左手用グリップ部の周面のうち、使用者が左手で把持した場合に左の手の平側で覆われる位置に設けられた前記左手用グリップ部のセンサー部と、前記右手用グリップ部の周面のうち、使用者が右手で把持した場合に右の手の平側で覆われる位置に設けられた前記右手用グリップ部のセンサー部と、を有し、
前記左手用グリップ部のセンサー部、及び、前記右手用グリップ部のセンサー部は、それぞれ同数かつ複数のセンサーで構成され、
前記判別部は、前記使用者が前記左手用グリップ部及び前記右手用グリップ部を把持しているときに、
前記左手用グリップ部のセンサー部のうち、出力信号が所定閾値出力を超える前記複数のセンサーの数が所定数以上であり、かつ、前記右手用グリップ部のセンサー部のうち、出力信号が所定閾値出力を超える前記複数のセンサーの数が所定数以上である場合には、前記左手用グリップ部を左手によって、前記右手用グリップ部を右手によって把持していると判別し、
前記左手用グリップ部のセンサー部のうち、出力信号が所定閾値出力を超える前記複数のセンサーの数が所定数未満であり、かつ、前記右手用グリップ部のセンサー部のうち、出力信号が所定閾値出力を超える前記複数のセンサーの数が所定数未満である場合には、前記左手用グリップ部を右手によって、前記右手用グリップ部を左手によって把持していると判別すること
を特徴とする請求項１乃至請求項４のうち、いずれか１に記載の生体測定装置。
【請求項６】
前記左手用グリップ部の周面のうち、使用者が把持した場合に、親指側が接触する位置に左手用の第１機能用電極が配置され、他の指側が接触する位置に左手用の第２機能用電極が配置され、
前記右手用グリップ部の周面のうち、使用者が把持した場合に、親指側が接触する位置に右手用の第１機能用電極が配置され、他の指側が接触する位置に右手用の第２機能用電極が配置されており、
前記第１機能用電極が前記測定用電極として機能し前記第２機能用電極が前記通電用電極として機能する、又は、前記第１機能用電極が前記通電用電極として機能し前記第２機能用電極が前記測定用電極として機能するように構成され、
前記センサー部は、前記左手用グリップ部の周面のうち、使用者が左手で把持した場合に左手の指先側で覆われる位置に設けられた前記左手用グリップ部のセンサー部と、前記右手用グリップ部の周面のうち、使用者が右手で把持した場合に右手の指先側で覆われる位置に設けられた前記右手用グリップ部のセンサー部と、を有し、
前記判別部は、前記使用者が前記左手用グリップ部及び前記右手用グリップ部を把持しているときの前記左手用グリップ部のセンサー部の出力信号及び前記右手用グリップ部のセンサー部の出力信号が、いずれも所定閾値未満の場合には、前記左手用グリップ部を左手によって、前記右手用グリップ部を右手によって把持していると判別し、いずれも所定閾値以上の場合には、前記左手用グリップ部を右手によって、前記右手用グリップ部を左手によって把持していると判別すること
を特徴とする請求項１乃至請求項５のうち、いずれか１に記載の生体測定装置。
【請求項７】
前記左手用グリップ部の周面のうち、使用者が把持した場合に、親指側が接触する位置に左手用の第１機能用電極が配置され、他の指側が接触する位置に左手用の第２機能用電極が配置され、
前記右手用グリップ部の周面のうち、使用者が把持した場合に、親指側が接触する位置に右手用の第１機能用電極が配置され、他の指側が接触する位置に右手用の第２機能用電極が配置されており、
前記第１機能用電極が前記測定用電極として機能し前記第２機能用電極が前記通電用電極として機能する、又は、前記第１機能用電極が前記通電用電極として機能し前記第２機能用電極が前記測定用電極として機能するように構成され、
前記センサー部は、前記左手用グリップ部の周面のうち、使用者が左手で把持した場合に左手の指先側で覆われる位置に設けられた前記左手用グリップ部のセンサー部と、前記右手用グリップ部の周面のうち、使用者が右手で把持した場合に右手の指先側で覆われる位置に設けられた前記右手用グリップ部のセンサー部と、を有し、
前記左手用グリップ部のセンサー部、及び、前記右手用グリップ部のセンサー部は、それぞれ同数かつ複数のセンサーで構成され、
前記判別部は、前記使用者が前記左手用グリップ部及び前記右手用グリップ部を把持しているときに、
前記左手用グリップ部のセンサー部のうち、出力信号が所定閾値出力を超える前記複数のセンサーの数が所定数未満であり、かつ、前記右手用グリップ部のセンサー部のうち、出力信号が所定閾値出力を超える前記複数のセンサーの数が所定数未満である場合には、前記左手用グリップ部を左手によって、前記右手用グリップ部を右手によって把持していると判別し、
前記左手用グリップ部のセンサー部のうち、出力信号が所定閾値出力を超える前記複数のセンサーの数が所定数以上であり、かつ、前記右手用グリップ部のセンサー部のうち、出力信号が所定閾値出力を超える前記複数のセンサーの数が所定数以上である場合には、前記左手用グリップ部を右手によって、前記右手用グリップ部を左手によって把持していると判別すること
を特徴とする請求項１乃至請求項６のうち、いずれか１に記載の生体測定装置。
【請求項８】
前記左手用グリップ部の周面のうち、使用者が把持した場合に、親指側が接触する位置に左手用の第１機能用電極が配置され、他の指側が接触する位置に左手用の第２機能用電極が配置され、
前記右手用グリップ部の周面のうち、使用者が把持した場合に、親指側が接触する位置に右手用の第１機能用電極が配置され、他の指側が接触する位置に右手用の第２機能用電極が配置されており、
前記第１機能用電極が前記測定用電極として機能し前記第２機能用電極が前記通電用電極として機能する、又は、前記第１機能用電極が前記通電用電極として機能し前記第２機能用電極が前記測定用電極として機能するように構成され、
前記センサー部は、前記左手用グリップ部の周面のうち、使用者が左手で把持した場合に左の手の平側で覆われる位置に設けられた前記左手用グリップ部の第１センサー部及び左手の指先側で覆われる位置に設けられた前記左手用グリップ部の第２センサー部、並びに、前記右手用グリップ部の周面のうち、使用者が右手で把持した場合に右の手の平側で覆われる位置に設けられた前記右手用グリップ部の第３センサー部及び右手の指先側で覆われる位置に設けられた前記右手用グリップ部の第４センサー部、を有し、
前記判別部は、前記使用者が前記左手用グリップ部及び前記右手用グリップ部を把持しているときに、
前記第１センサー部の出力信号が前記第２センサー部の出力信号よりも大きく、かつ、前記第３センサー部の出力信号が前記第４センサー部の出力信号よりも大きい場合には、前記左手用グリップ部を左手によって、前記右手用グリップ部を右手によって把持していると判別し、
前記第１センサー部の出力信号が前記第２センサー部の出力信号よりも小さく、かつ、前記第３センサー部の出力信号が前記第４センサー部の出力信号よりも小さい場合には、前記左手用グリップ部を右手によって、前記右手用グリップ部を左手によって把持していると判別すること
を特徴とする請求項１乃至請求項７のうち、いずれか１に記載の生体測定装置。
【請求項９】
前記左手用グリップ部の周面のうち、使用者が把持した場合に、親指側が接触する位置に左手用の第１機能用電極が配置され、他の指側が接触する位置に左手用の第２機能用電極が配置され、
前記右手用グリップ部の周面のうち、使用者が把持した場合に、親指側が接触する位置に右手用の第１機能用電極が配置され、他の指側が接触する位置に右手用の第２機能用電極が配置されており、
前記第１機能用電極が前記測定用電極として機能し前記第２機能用電極が前記通電用電極として機能する、又は、前記第１機能用電極が前記通電用電極として機能し前記第２機能用電極が前記測定用電極として機能するように構成され、
前記センサー部は、前記左手用グリップ部の周面のうち、使用者が左手で把持した場合に左の手の平側で覆われる位置に設けられた前記左手用グリップ部の第１センサー部及び左手の指先側で覆われる位置に設けられた前記左手用グリップ部の第２センサー部、並びに、前記右手用グリップ部の周面のうち、使用者が右手で把持した場合に右の手の平側で覆われる位置に設けられた前記右手用グリップ部の第３センサー部及び右手の指先側で覆われる位置に設けられた前記右手用グリップ部の第４センサー部、を有し、
前記第１センサー部、前記第２センサー部、前記第３センサー部、及び、前記第４センサー部は、それぞれ同数かつ複数のセンサーで構成され、
前記判別部は、前記使用者が前記左手用グリップ部及び前記右手用グリップ部を把持しているときに、前記左手用グリップ部のセンサー部のうち、出力信号が所定閾値出力を超える前記複数のセンサーの数が、
前記第２センサー部よりも前記第１センサー部の方が多く、かつ、前記第４センサー部よりも前記第３センサー部の方が多い場合には、前記左手用グリップ部を左手によって、前記右手用グリップ部を右手によって把持していると判別し、
前記第２センサー部よりも前記第１センサー部の方が少なく、かつ、前記第４センサー部よりも前記第３センサー部の方が少ない場合には、前記左手用グリップ部を右手によって、前記右手用グリップ部を左手によって把持していると判別すること
を特徴とする請求項１乃至請求項８のうち、いずれか１に記載の生体測定装置。
【請求項１０】
前記生体測定装置は、前記使用者が、前記左手用グリップ部を右手によって、前記右手用グリップ部を左手によって把持していると前記判別部が判別した場合に、左手用の通電用電極及び測定用電極を右手用の通電用電極及び測定用電極として機能させ、かつ、右手用の通電用電極及び測定用電極を左手用の通電用電極及び測定用電極として機能させるための電極切替部を有することを特徴とする請求項１乃至請求項９のうち、いずれか１に記載の生体測定装置。
【請求項１１】
前記生体測定装置は、前記使用者が、前記左手用グリップ部を右手によって、前記右手用グリップ部を左手によって把持していると前記判別部が判別した場合に、アラート処理を実行することを特徴とする請求項１乃至請求項１０のうち、いずれか１項に記載の生体測定装置。
【発明の詳細な説明】
【技術分野】
【０００１】
本発明は、生体情報を取得可能な生体測定装置に関する。
【背景技術】
【０００２】
従来の８電極式の体組成計として、例えば特許文献１に体組成計が開示されている。８電極式の体組成計は、一般的には、使用者が左手で接触することを想定して設けられた左手用の通電用電極及び測定用電極、右手で接触することを想定して設けられた右手用の通電用電極及び測定用電極、左足で接触することを想定して設けられた左足用の通電用電極及び測定用電極、及び、右足で接触することを想定して設けられた２つの右足用の通電用電極及び測定用電極、を有している。
そして、使用者が前記のように想定されている通りに正しく、足用電極に左右の足を接触させ且つ手用電極に左右の手を接触させた状態で、全身及び身体各部位ごとに、生体インピーダンスの測定処理が実行される。
【先行技術文献】
【特許文献】
【０００３】
【特許文献１】特開２００５−２６１４８８号公報
【発明の概要】
【発明が解決しようとする課題】
【０００４】
しかしながら、従来の８電極式の体組成計によると、使用者が、前記のように想定されている通りに正しく電極に手や足を接触させていない場合には、正確な測定結果が得られない事態が生じる。特に、手用電極については、左右逆側の手で接触するような持ち方をしてしまうケースが多い。このような持ち方のミスは、引用文献１のように本体と連結された１つのハンドル部に左手用電極及び右手用電極が共に設けられている体組成計よりも、左手用グリップ部に左手用電極が設けられ、左手用グリップ部とは別体の右手用グリップ部に右手用電極が設けられている体組成計に多く見られる。
【０００５】
例えば、左手用グリップ部及び右手用グリップ部を本体部の保持構造によってそれぞれ保持しておく体組成計において、運搬時等に左手用グリップ部及び右手用グリップ部が外れ落ちることがあり、この時に誤って、右手用グリップの保持構造に左手用グリップを保持し、左手用グリップの保持構造に右手用グリップを保持してしまうことがある。このように左手用グリップ部及び右手用グリップ部が左右反対に本体に保持されていると、使用者は、それらのグリップ部が左右逆に保持されていることを知らないまま、左手用グリップ部を右手で把持し、右手用グリップ部を左手で把持してしまい、その結果、手用電極が左右逆側の手で接触されてしまうことがあった。このような持ち方のミスを避けるために、左手用グリップ部のみ保持可能な保持構造及び右手用グリップ部のみ保持可能な保持構造のように、保持構造に左右逆のグリップ部が保持されないための構造を別途備えなければならず、製造コストが増大する場合もあった。
【０００６】
そこで本発明は、使用者が左手用電極を左手に接触させ右手用電極を左手に接触させているかを判別することができる生体測定装置を提供することを目的とする。
【課題を解決するための手段】
【０００７】
上記課題を解決するために、本発明の生体測定装置は、使用者が把持可能な左手用グリップ部に離間配置された左手用の通電用電極及び測定用電極、並びに、使用者が把持可能な右手用グリップ部に離間配置された右手用の通電用電極及び測定用電極、を備え、前記使用者の全身及び各身体部位の生体インピーダンスを測定する生体測定装置において、前記左手用グリップ部及び前記右手用グリップ部のそれぞれには、前記使用者による把持状態に応じた信号を出力するセンサー部が配置されており、前記センサー部の出力信号に基づいて、前記左手用グリップ部及び前記右手用グリップ部を前記使用者が左右いずれの手によって把持しているか、を判別する判別部を有することを特徴とする。
【０００８】
また、本発明の生体測定装置において、前記判別部は、前記センサー部が前記使用者の手の平側又は指側のいずれによって覆われているかを、前記使用者が前記左手用グリップ部及び前記右手用グリップ部を把持しているときの前記センサー部の出力信号に基づいて判別し、該判別の結果に応じて、前記左手用グリップ部及び前記右手用グリップ部を前記使用者が左右いずれの手によって把持しているか、を判別することを特徴とする。
【０００９】
また、本発明の生体測定装置において、前記センサー部は、前記左手用グリップ部の周面及び前記右手用グリップ部の周面のうち、それぞれの前記通電用電極と前記測定用電極との間に配置されていることを特徴とする。
【００１０】
また、本発明の生体測定装置において、前記左手用グリップ部の周面のうち、使用者が把持した場合に、親指側が接触する位置に左手用の第１機能用電極が配置され、他の指側が接触する位置に左手用の第２機能用電極が配置され、前記右手用グリップ部の周面のうち、使用者が把持した場合に、親指側が接触する位置に右手用の第１機能用電極が配置され、他の指側が接触する位置に右手用の第２機能用電極が配置されており、前記第１機能用電極が前記測定用電極として機能し前記第２機能用電極が前記通電用電極として機能する、又は、前記第１機能用電極が前記通電用電極として機能し前記第２機能用電極が前記測定用電極として機能するように構成され、前記センサー部は、前記左手用グリップ部の周面のうち、使用者が左手で把持した場合に左の手の平側で覆われる位置に設けられた前記左手用グリップ部のセンサー部と、前記右手用グリップ部の周面のうち、使用者が右手で把持した場合に右の手の平側で覆われる位置に設けられた前記右手用グリップ部のセンサー部と、を有し、前記判別部は、前記使用者が前記左手用グリップ部及び前記右手用グリップ部を把持しているときの前記左手用グリップ部のセンサー部の出力信号及び前記右手用グリップ部のセンサー部の出力信号が、いずれも所定閾値以上の場合には、前記左手用グリップ部を左手によって、前記右手用グリップ部を右手によって把持していると判別し、いずれも所定閾値未満の場合には、前記左手用グリップ部を右手によって、前記右手用グリップ部を左手によって把持していると判別することを特徴とする。
【００１１】
また、本発明の生体測定装置において、前記左手用グリップ部の周面のうち、使用者が把持した場合に、親指側が接触する位置に左手用の第１機能用電極が配置され、他の指側が接触する位置に左手用の第２機能用電極が配置され、前記右手用グリップ部の周面のうち、使用者が把持した場合に、親指側が接触する位置に右手用の第１機能用電極が配置され、他の指側が接触する位置に右手用の第２機能用電極が配置されており、前記第１機能用電極が前記測定用電極として機能し前記第２機能用電極が前記通電用電極として機能する、又は、前記第１機能用電極が前記通電用電極として機能し前記第２機能用電極が前記測定用電極として機能するように構成され、前記センサー部は、前記左手用グリップ部の周面のうち、使用者が左手で把持した場合に左の手の平側で覆われる位置に設けられた前記左手用グリップ部のセンサー部と、前記右手用グリップ部の周面のうち、使用者が右手で把持した場合に右の手の平側で覆われる位置に設けられた前記右手用グリップ部のセンサー部と、を有し、前記左手用グリップ部のセンサー部、及び、前記右手用グリップ部のセンサー部は、それぞれ同数かつ複数のセンサーで構成され、前記判別部は、前記使用者が前記左手用グリップ部及び前記右手用グリップ部を把持しているときに、前記左手用グリップ部のセンサー部のうち、出力信号が所定閾値出力を超える前記複数のセンサーの数が所定数以上であり、かつ、前記右手用グリップ部のセンサー部のうち、出力信号が所定閾値出力を超える前記複数のセンサーの数が所定数以上である場合には、前記左手用グリップ部を左手によって、前記右手用グリップ部を右手によって把持していると判別し、前記左手用グリップ部のセンサー部のうち、出力信号が所定閾値出力を超える前記複数のセンサーの数が所定数未満であり、かつ、前記右手用グリップ部のセンサー部のうち、出力信号が所定閾値出力を超える前記複数のセンサーの数が所定数未満である場合には、前記左手用グリップ部を右手によって、前記右手用グリップ部を左手によって把持していると判別することを特徴とする。
【００１２】
また、本発明の生体測定装置において、前記左手用グリップ部の周面のうち、使用者が把持した場合に、親指側が接触する位置に左手用の第１機能用電極が配置され、他の指側が接触する位置に左手用の第２機能用電極が配置され、前記右手用グリップ部の周面のうち、使用者が把持した場合に、親指側が接触する位置に右手用の第１機能用電極が配置され、他の指側が接触する位置に右手用の第２機能用電極が配置されており、前記第１機能用電極が前記測定用電極として機能し前記第２機能用電極が前記通電用電極として機能する、又は、前記第１機能用電極が前記通電用電極として機能し前記第２機能用電極が前記測定用電極として機能するように構成され、前記センサー部は、前記左手用グリップ部の周面のうち、使用者が左手で把持した場合に左手の指先側で覆われる位置に設けられた前記左手用グリップ部のセンサー部と、前記右手用グリップ部の周面のうち、使用者が右手で把持した場合に右手の指先側で覆われる位置に設けられた前記右手用グリップ部のセンサー部と、を有し、前記判別部は、前記使用者が前記左手用グリップ部及び前記右手用グリップ部を把持しているときの前記左手用グリップ部のセンサー部の出力信号及び前記右手用グリップ部のセンサー部の出力信号が、いずれも所定閾値未満の場合には、前記左手用グリップ部を左手によって、前記右手用グリップ部を右手によって把持していると判別し、いずれも所定閾値以上の場合には、前記左手用グリップ部を右手によって、前記右手用グリップ部を左手によって把持していると判別することを特徴とする。
【００１３】
また、本発明の生体測定装置において、前記左手用グリップ部の周面のうち、使用者が把持した場合に、親指側が接触する位置に左手用の第１機能用電極が配置され、他の指側が接触する位置に左手用の第２機能用電極が配置され、前記右手用グリップ部の周面のうち、使用者が把持した場合に、親指側が接触する位置に右手用の第１機能用電極が配置され、他の指側が接触する位置に右手用の第２機能用電極が配置されており、前記第１機能用電極が前記測定用電極として機能し前記第２機能用電極が前記通電用電極として機能する、又は、前記第１機能用電極が前記通電用電極として機能し前記第２機能用電極が前記測定用電極として機能するように構成され、前記センサー部は、前記左手用グリップ部の周面のうち、使用者が左手で把持した場合に左手の指先側で覆われる位置に設けられた前記左手用グリップ部のセンサー部と、前記右手用グリップ部の周面のうち、使用者が右手で把持した場合に右手の指先側で覆われる位置に設けられた前記右手用グリップ部のセンサー部と、を有し、前記左手用グリップ部のセンサー部、及び、前記右手用グリップ部のセンサー部は、それぞれ同数かつ複数のセンサーで構成され、前記判別部は、前記使用者が前記左手用グリップ部及び前記右手用グリップ部を把持しているときに、前記左手用グリップ部のセンサー部のうち、出力信号が所定閾値出力を超える前記複数のセンサーの数が所定数未満であり、かつ、前記右手用グリップ部のセンサー部のうち、出力信号が所定閾値出力を超える前記複数のセンサーの数が所定数未満である場合には、前記左手用グリップ部を左手によって、前記右手用グリップ部を右手によって把持していると判別し、前記左手用グリップ部のセンサー部のうち、出力信号が所定閾値出力を超える前記複数のセンサーの数が所定数以上であり、かつ、前記右手用グリップ部のセンサー部のうち、出力信号が所定閾値出力を超える前記複数のセンサーの数が所定数以上である場合には、前記左手用グリップ部を右手によって、前記右手用グリップ部を左手によって把持していると判別することを特徴とする。
【００１４】
また、本発明の生体測定装置において、前記左手用グリップ部の周面のうち、使用者が把持した場合に、親指側が接触する位置に左手用の第１機能用電極が配置され、他の指側が接触する位置に左手用の第２機能用電極が配置され、前記右手用グリップ部の周面のうち、使用者が把持した場合に、親指側が接触する位置に右手用の第１機能用電極が配置され、他の指側が接触する位置に右手用の第２機能用電極が配置されており、前記第１機能用電極が前記測定用電極として機能し前記第２機能用電極が前記通電用電極として機能する、又は、前記第１機能用電極が前記通電用電極として機能し前記第２機能用電極が前記測定用電極として機能するように構成され、前記センサー部は、前記左手用グリップ部の周面のうち、使用者が左手で把持した場合に左の手の平側で覆われる位置に設けられた前記左手用グリップ部の第１センサー部及び左手の指先側で覆われる位置に設けられた前記左手用グリップ部の第２センサー部、並びに、前記右手用グリップ部の周面のうち、使用者が右手で把持した場合に右の手の平側で覆われる位置に設けられた前記右手用グリップ部の第３センサー部及び右手の指先側で覆われる位置に設けられた前記右手用グリップ部の第４センサー部、を有し、前記判別部は、前記使用者が前記左手用グリップ部及び前記右手用グリップ部を把持しているときに、前記第１センサー部の出力信号が前記第２センサー部の出力信号よりも大きく、かつ、前記第３センサー部の出力信号が前記第４センサー部の出力信号よりも大きい場合には、前記左手用グリップ部を左手によって、前記右手用グリップ部を右手によって把持していると判別し、前記第１センサー部の出力信号が前記第２センサー部の出力信号よりも小さく、かつ、前記第３センサー部の出力信号が前記第４センサー部の出力信号よりも小さい場合には、前記左手用グリップ部を右手によって、前記右手用グリップ部を左手によって把持していると判別することを特徴とする。
【００１５】
また、本発明の生体測定装置において、前記左手用グリップ部の周面のうち、使用者が把持した場合に、親指側が接触する位置に左手用の第１機能用電極が配置され、他の指側が接触する位置に左手用の第２機能用電極が配置され、前記右手用グリップ部の周面のうち、使用者が把持した場合に、親指側が接触する位置に右手用の第１機能用電極が配置され、他の指側が接触する位置に右手用の第２機能用電極が配置されており、前記第１機能用電極が前記測定用電極として機能し前記第２機能用電極が前記通電用電極として機能する、又は、前記第１機能用電極が前記通電用電極として機能し前記第２機能用電極が前記測定用電極として機能するように構成され、前記センサー部は、前記左手用グリップ部の周面のうち、使用者が左手で把持した場合に左の手の平側で覆われる位置に設けられた前記左手用グリップ部の第１センサー部及び左手の指先側で覆われる位置に設けられた前記左手用グリップ部の第２センサー部、並びに、前記右手用グリップ部の周面のうち、使用者が右手で把持した場合に右の手の平側で覆われる位置に設けられた前記右手用グリップ部の第３センサー部及び右手の指先側で覆われる位置に設けられた前記右手用グリップ部の第４センサー部、を有し、前記第１センサー部、前記第２センサー部、前記第３センサー部、及び、前記第４センサー部は、それぞれ同数かつ複数のセンサーで構成され、前記判別部は、前記使用者が前記左手用グリップ部及び前記右手用グリップ部を把持しているときに、前記左手用グリップ部のセンサー部のうち、出力信号が所定閾値出力を超える前記複数のセンサーの数が、前記第２センサー部よりも前記第１センサー部の方が多く、かつ、前記第４センサー部よりも前記第３センサー部の方が多い場合には、前記左手用グリップ部を左手によって、前記右手用グリップ部を右手によって把持していると判別し、前記第２センサー部よりも前記第１センサー部の方が少なく、かつ、前記第４センサー部よりも前記第３センサー部の方が少ない場合には、前記左手用グリップ部を右手によって、前記右手用グリップ部を左手によって把持していると判別することを特徴とする。
【００１６】
また、本発明の生体測定装置は、前記使用者が、前記左手用グリップ部を右手によって、前記右手用グリップ部を左手によって把持していると前記判別部が判別した場合に、左手用の通電用電極及び測定用電極を右手用の通電用電極及び測定用電極として機能させ、かつ、右手用の通電用電極及び測定用電極を左手用の通電用電極及び測定用電極として機能させるための電極切替部を有することを特徴とする。
【００１７】
また、本発明の生体測定装置は、前記使用者が、前記左手用グリップ部を右手によって、前記右手用グリップ部を左手によって把持していると前記判別部が判別した場合に、アラート処理を実行することを特徴とする。
【発明の効果】
【００１８】
本発明の生体測定装置によると、使用者が左手用電極を左手に接触させ右手用電極を左手に接触させているかを判別可能であるので、使用者が左手用グリップ部と右手用グリップ部とを左右逆の手で把持している場合であっても、逆の手で把持していることを判別することができ、これにより正しい測定結果を得ることができる。
【図面の簡単な説明】
【００１９】
【図１】第１実施形態に係る体組成計の構成を示す斜視図である。
【図２】第１実施形態に係る体組成計の構成を示すブロック図である。
【図３】第１実施形態における生体インピーダンス測定部の構成を示すブロック図である。
【図４】第１実施形態の右手用グリップ部及び保持部の構成を示す斜視図である。
【図５】第１実施形態の左手用グリップ部の構成を示す図であって、（ａ）は左側面図、（ｂ）は正面図、（ｃ）は右側面図である。
【図６】第１実施形態の右手用グリップ部の構成を示す図であって、（ａ）は左側面図、（ｂ）は正面図、（ｃ）は右側面図である。
【図７】第１実施形態の左手用グリップ部の断面図であって、図５（ｃ）のＶＩＩ−ＶＩＩ’線における断面図である。
【図８】第１実施形態の左手用グリップ部のセンサー部の配置を説明するための左側面図である。
【図９】第１実施形態に係る体組成計による測定の処理の流れを示すフローチャートである。
【図１０】（ａ）は第１実施形態の左手用グリップ部を使用者が左手で正しく把持した状態を示す側面図、（ｂ）は（ａ）に対応する正面図、（ｃ）は右手用グリップ部を誤って左手で把持した状態を示す側面図である。
【図１１】第１実施形態の第１変形例における左手用グリップ部の構成を示す図であって、（ａ）は左側面図、（ｂ）は右側面図である。
【図１２】第１実施形態の第１変形例における右手用グリップ部の構成を示す図であって、（ａ）は左側面図、（ｂ）は右側面図である。
【図１３】第１実施形態の第２変形例における左手用グリップ部の構成を示す図であって、（ａ）は左側面図、（ｂ）は右側面図である。
【図１４】第１実施形態の第２変形例における右手用グリップ部の構成を示す図であって、（ａ）は左側面図、（ｂ）は右側面図である。
【図１５】第１実施形態の第２変形例におけるセンサー部から制御部までの接続を示すブロック図である。
【図１６】（ａ）は第２実施形態の左手用グリップ部の構成を示す左側面図、（ｂ）は右手用グリップ部の構成を示す右側面図である。
【図１７】第２実施形態におけるセンサー部から制御部までの接続を示すブロック図である。
【図１８】第２実施形態の第１変形例における左手用グリップ部の構成を示す図であって、（ａ）は左側面図、（ｂ）は右側面図である。
【図１９】第２実施形態の第１変形例における右手用グリップ部の構成を示す図であって、（ａ）は左側面図、（ｂ）は右側面図である。
【図２０】第２実施形態の第１変形例におけるセンサー部から制御部までの接続を示すブロック図である。
【発明を実施するための形態】
【００２０】
＜第１実施形態＞
以下、本発明の第１実施形態に係る生体測定装置について、図面を参照しつつ詳しく説明する。第１実施形態は、本発明を体組成の測定が可能な体組成計に適用した例を説明する。図１は、本発明の第１実施形態に係る体組成計１０（生体測定装置）の斜視図、図２は、図１の体組成計１０のブロック図、図３は、生体インピーダンス測定部６０の構成を示すブロック図、図４は、第１実施形態の右手用グリップ部５０及び保持部１５の構成を示す斜視図である。なお、図１は、保持部１４、１５に一対のグリップ部４０、５０をそれぞれ装着した状態を示し、図４は、保持部１５から右手用グリップ部５０を外した状態を示している。保持部１４と保持部１５、左手用グリップ部４０と右手用グリップ部５０は略対称に構成されており、左手用グリップ部４０は、図４に示す右手用グリップ部５０と同様に、保持部１４から外すことができる。
【００２１】
図１乃至図３に示すように、生体測定装置としての体組成計１０は、本体部１１と、支軸１２と、表示・操作ユニット１３と、一対のグリップ部４０、５０と、測定用電極３１ｂ、３２ｂ、４１、５１と、通電用電極３１ａ、３２ａ、４２、５２と、ケーブル４９、５９と、保持部１４、１５と、表示部２１と、操作部２２と、演算部２４と、記憶部２５と、判別部２６と、ロードセル２７と、制御部２９と、生体インピーダンス測定部６０（電源供給部６１、電圧測定部６２、電極切替部６３を含む。）と、センサー部４３、５３と、固定抵抗４４Ｒ１、４４Ｒ２、４４Ｒ３、５４Ｒ１、５４Ｒ２、５４Ｒ３と、増幅器４５、５５と、Ａ／Ｄ変換器４６、５６と、電力を供給する電源（図に示さず）と、を備える。
【００２２】
図１に示すように、本体部１１は、使用者が立って乗ることが可能な載置部１１ａを有する。表示・操作ユニット１３は、本体部１１上に固定された支軸１２に支持されている。表示・操作ユニット１３は、表示部２１、操作部２２、及び、左右両側にそれぞれ設けた保持部１４、１５を備え、保持部１４、１５には、一対のグリップ部４０、５０が脱着可能にそれぞれ保持されている（図４参照）。なお、左手用グリップ部４０及び右手用グリップ部５０は、載置部１１ａに乗る使用者に対して測定用電極４１、５１を手前側にして保持されるように、左手用グリップ部４０及び右手用グリップ部５０及び／又は保持部１４、１５の形状を有していることが好ましい。左手用グリップ部４０はケーブル４９により、右手用グリップ部５０はケーブル５９により、表示・操作ユニット１３にそれぞれ電気的に接続されている。さらに、表示・操作ユニット１３は支軸１２内に挿通された、図示しないケーブルによって本体部１１に電気的に接続されている。なお、左手用グリップ部４０及び右手用グリップ部５０は、使用者が把持可能な形状であれば特に限定されない。
【００２３】
図２又は図３では、本体部１１の内部に配置されている演算部２４、記憶部２５、判別部２６、ロードセル２７、制御部２９、電源供給部６１、電圧測定部６２、及び電極切替部６３を示したが、これらは図１では内部機構となるため図示を割愛している。
以下に、各部材の詳細な構成について説明する。
【００２４】
なお、本発明において生体情報は、（１）生体測定装置によって使用者を直接測定して取得される生体情報（主として体重及び生体インピーダンスなど）、（２）使用者が操作部２２を操作して入力することにより取得される生体情報（主として年齢、性別及び身長など）、（３）これらの生体情報を所定の回帰式に適用して演算して取得される生体情報（主として、全身及び身体部位ごとの脂肪率、脂肪量、除脂肪量、筋肉量、内臓脂肪量、内臓脂肪レベル、内臓脂肪面積、皮下脂肪量、基礎代謝量、骨量、体水分率、ＢＭＩ（Ｂｏｄｙ  Ｍａｓｓ  Ｉｎｄｅｘ）、細胞内液量、細胞外液量など）が挙げられる。
【００２５】
表示手段としての表示部２１は、ロードセル２７や生体インピーダンス測定部６０が測定した生体情報、使用者が操作部２２を操作して入力した生体情報その他の情報を表示する。表示部２１は、例えば、フルドットＬＣＤ（Ｌｉｑｕｉｄ  Ｃｒｙｓｔａｌ  Ｄｉｓｐｌａｙ）などの液晶を用いたものを採用する。本実施形態では、表示部２１は、本体部１１上に固定された支軸１２に支持された表示・操作ユニット１３に設けられている。
【００２６】
操作部２２は、身長、性別、年齢等の生体情報や、個人に合わせた設定事項を入力するための入力手段である。入力された個人の生体情報や設定事項は、記憶部２５に格納され、表示部２１に表示される。操作部２２としては、例えば、ボタン式、タッチセンサ式、ダイヤル式などを用いることができる。操作部２２は、生体情報取得手段としても機能する。本実施形態では、操作部２２は、本体部１１上に固定された支軸１２に支持された表示・操作ユニット１３に設けられている。
【００２７】
演算手段としての演算部２４は、制御部２９による制御のもと、例えば、使用者が入力した身長、年齢、性別や、測定された使用者の体重や生体インピーダンスなどの生体情報を所定の回帰式に適用し、脂肪率等の生体情報を算出するなど、種々の演算処理を実行する。算出結果は、記憶部２５に格納される。また、演算部２４は、生体情報取得手段としても機能する。
なお、演算部２４の上述の機能を制御部２９にもたせてもよい。
【００２８】
記憶手段としての記憶部２５は、ＲＯＭ（不揮発性メモリ（Ｒｅａｄ  Ｏｎｌｙ  Ｍｅｍｏｒｙ））、ＲＡＭ（揮発性メモリ（Ｒａｎｄｏｍ  Ａｃｃｅｓｓ  Ｍｅｍｏｒｙ））などによって構成される記憶手段であり、各種のデータ類を保存する。
【００２９】
生体情報取得手段としてのロードセル２７は、荷重に応じて変形する金属部材の起歪体と、起歪体に貼られる歪みゲージと、によって構成されている。使用者が体組成計１０上に乗ると、使用者の荷重によってロードセル２７の起歪体が撓んで歪みゲージが伸縮し、歪みゲージはその伸縮に応じて抵抗値（出力値）が変化する。制御部２９は、荷重が掛かっていないときのロードセル２７の出力値（ゼロ点）と、荷重が掛かったときの出力値と、の差から演算部２４に体重を演算させ、使用者の体重が測定されるようになっている。このロードセル２７を用いた体重の測定に関する構成は、一般の体重計と同様の構成を用いればよい。
【００３０】
生体情報取得手段としての生体インピーダンス測定部６０は、（１）使用者の足に接触可能な通電用電極３１ａ、３２ａ及び測定用電極３１ｂ、３２ｂと、（２）使用者の手に接触可能な通電用電極４２、５２、及び、測定用電極４１、５１と、（３）通電用電極３１ａ、３２ａ、及び、通電用電極４２、５２に接続されて高周波の微弱な定電流を供給する電源供給部６１と、（４）測定用電極３１ｂ、３２ｂ、及び、測定用電極４１、５１に接続されて生体の電位差を測定するための電圧測定部６２と、（５）電極切替部６３と、を有する。
【００３１】
電極切替部６３は、使用者が、左手用グリップ部４０を右手によって、右手用グリップ部５０を左手によって把持していると判別部２６が判別した場合に、左手用の通電用電極及び測定用電極を右手用の通電用電極及び測定用電極として機能させ、かつ、右手用の通電用電極及び測定用電極を左手用の通電用電極及び測定用電極として機能させるための切替手段である。電極切替部６３は、通電用電極切替部６３ａ及び測定用電極切替部６３ｂを有する。通電用電極切替部６３ａには、通電用電極３１ａ、３２ａ、４２、５２が接続されている。電源供給部６１は、制御部２９によって指示された周波数の高周波電流を発生し、通電用電極切替部６３ａは、電源供給部６１から受けた測定用電流を、通電用電極３１ａ、３２ａ、４２、５２の内の制御部２９によって指定された２つの通電用電極間に選択的に印加する。測定用電極切替部６３ｂには、測定用電極３１ｂ、３２ｂ、４１、５１が接続されている。測定用電極切替部６３ｂは、測定用電極３１ｂ、３２ｂ、４１、５１の内の、制御部２９によって指定された２つの測定用電極を電圧測定部６２に選択的に接続し、電圧測定部６２は、その選択された２つの測定用電極間の電位差、すなわち選択した身体部位間の生体インピーダンス（各身体部位の生体インピーダンス）に基因する電位差を測定して、測定値を制御部２９に出力する。なお、電圧測定部６２の出力値は、Ａ／Ｄ変換器（図に示さず）を介してアナログ測定値をデジタル測定値に変換して出力するようにする。
【００３２】
体組成計１０は、載置部１１ａの上面に離間配置された左足用の通電用電極３１ａ及び測定用電極３１ｂ、並びに、右足用の通電用電極３２ａ及び測定用電極３２ｂ、を備える。即ち、図１に示すように、通電用電極３１ａ、３２ａ、及び、測定用電極３１ｂ、３２ｂは、体組成計１０の本体部１１の載置部１１ａの上面において互いに離間して配置され、使用者が体組成計１０に乗ったときに、左右の足裏に対して接触可能な足用の電極として構成されている。なお、本実施形態では、通電用電極３１ａ、３２ａ及び測定用電極３１ｂ、３２ｂは、足用の電極として、載置部１１ａの上面に離間配置された構成を説明したが、本発明はこのような構成に限られるものではない。例えば、載置部１１ａの上面に離間配置するものではなく、使用者の足首等を挟むことが可能なクリップ部を設け、そのクリップ部に通電用電極及び測定用電極を設けるようにしてもよいし、また、足用の電極でなくてもよく、使用者の両足以外の部位（ふくらはぎ、大腿、腹部など）に接触させることができる電極を採用してもよい。
【００３３】
また、体組成計１０は、使用者が把持可能な左手用グリップ部４０に離間配置された左手用の通電用電極４２及び測定用電極４１、並びに、使用者が把持可能な右手用グリップ部５０に離間配置された右手用の通電用電極５２及び測定用電極５１、を備える。より詳しくは、左手用グリップ部４０の周面のうち、使用者が把持した場合に、親指側が接触する位置（図１の符号４１参照）に左手用の第１機能用電極が配置され、他の指側が接触する位置（図１の符号４２参照）に左手用の第２機能用電極が配置され、右手用グリップ部５０の周面のうち、使用者が把持した場合に、親指側が接触する位置（図１の符号５１参照）に右手用の第１機能用電極が配置され、他の指側が接触する位置（図１の符号５２参照）に前記右手用の第２機能用電極が配置されている。本実施形態では、前記第１機能用電極が測定用電極４１、５１として機能し前記第２機能用電極が通電用電極４２、５２として機能するように構成したものを説明するが、前記第１機能用電極が通電用電極として機能し前記第２機能用電極が測定用電極として機能するように構成してもよい。
【００３４】
通電用電極４２と測定用電極４１は、略筒状の左手用グリップ部４０の周面において互いに離間して、例えば左手用グリップ部４０の中心軸に関して等角度間隔で配置され（図７参照）、同様に、通電用電極５２と測定用電極５１は、略筒状の右手用グリップ部５０の周面において互いに離間して、例えば右手用グリップ部５０の中心軸に関して等角度間隔で配置されている。通電用電極４２、５２及び測定用電極４１、５１の長手方向の長さ（縦幅）は、例えば、成人の手の標準サイズに基づき設定すればよい。なお、手用の通電用電極４２、５２及び測定用電極５１、５２の、グリップ部４０、５０への配置方法についても、上記の構成に限定されるものではない。
【００３５】
使用者の全身及び各身体部位についての生体インピーダンスの測定は、電極切替部６３（通電用電極切替部６３ａ及び測定用電極切替部６３ｂ）によって電源供給部６１及び電圧測定部６２と各電極（３１ａ、３１ｂ、３２ａ、３２ｂ、４１、４２、５１、５２）との接続を適宜切り替えながら、例えば以下のように行う。
（１）全身の生体インピーダンスの測定は、通電用電極４２及び通電用電極３１ａを用いて電流を供給し、左手、左腕、胸部、腹部、左脚、左足を流れる電流経路において、その左手に接触している測定用電極４１と左足に接触している測定用電極３１ｂとの間で電位差を測定する。
（２）右下肢の生体インピーダンスの測定は、通電用電極５２及び通電用電極３２ａを用いて電流を供給し、右手、右腕、胸部、腹部、右脚、右足を流れる電流経路において、その左足に接触している測定用電極３１ｂと右足に接触している測定用電極３２ｂとの間で電位差を測定する。
（３）左下肢の生体インピーダンスの測定は、通電用電極４２及び通電用電極３１ａを用いて電流を供給し、左手、左腕、胸部、腹部、左脚、左足を流れる電流経路において、その左足に接触している測定用電極３１ｂと右足に接触している測定用電極３２ｂとの間で電位差を測定する。
（４）右上肢の生体インピーダンスの測定は、通電用電極５２及び通電用電極３２ａを用いて電流を供給し、右手、右腕、胸部、腹部、右脚、右足を流れる電流経路において、その左手に接触している測定用電極４１と右手に接触している測定用電極５１との間で電位差を測定する。
（５）左上肢の生体インピーダンスの測定は、通電用電極４２及び通電用電極３１ａを用いて電流を供給し、左手、左腕、胸部、腹部、左脚、左足を流れる電流経路において、その左手に接触している測定用電極４１と右手に接触している測定用電極５１との間で電位差を測定する。
【００３６】
このようにして、体組成計１０は、各通電用電極から、使用者の身体の所定部位に電流を流し、この電流経路に発生する電位差を測定することができるようになっている。即ち、体組成計１０は、使用者が左足用の電極（３１ａ、３１ｂ）に左足を接触させ、右足用の電極（３２ａ、３２ｂ）に右足を接触させ、左手用の電極（４１、４２）に左手を接触させ、右手用の電極（５１、５２）に右手を接触させた時の、使用者の全身及び各身体部位の生体インピーダンスを測定する。また、制御部２９は、演算部２４に、このような電流及び電位差の各値に基づいて、使用者の生体インピーダンスを算出させることができるようになっている。さらに、制御部２９は、演算部２４に、このように算出・測定した生体インピーダンスや、体重、年齢、性別、身長等の生体情報を、所定の回帰式に適用することにより、脂肪率、内臓脂肪レベル等を算出させることができるようになっている。生体インピーダンスの測定に関する構成は、一般の体脂肪計や体組成計と同様の構成を用いればよい。
【００３７】
図２に示すように、表示部２１、操作部２２、演算部２４、記憶部２５、判別部２６、ロードセル２７、生体インピーダンス測定部６０、センサー部４３、増幅器４５、Ａ／Ｄ変換器４６、センサー部５３、増幅器５５、及びＡ／Ｄ変換器５６は、制御部２９に直接的に又は間接的に電気的に接続されており、制御部２９は、これらの動作を制御している。さらに、制御部２９には、電源（図に示さず）が接続されている。電源としては、体組成計１０を作動させる電力を供給する電池又は外部電源を利用できるようになっている。
【００３８】
つづいて、センサー部について、図５〜図８を参照しつつ説明する。
図５は、左手用グリップ部４０の構成を示す図であって、（ａ）は左側面図、（ｂ）は正面図、（ｃ）は右側面図、図６は、右手用グリップ部右手用グリップ部５０の構成を示す図であって、（ａ）は左側面図、（ｂ）は正面図、（ｃ）は右側面図、図７は、左手用グリップ部４０の断面図、図５（ｃ）のＶＩＩ−ＶＩＩ’線における断面図、図８は、左手用グリップ部４０のセンサー部の配置を説明するための左側面図である。
【００３９】
左手用グリップ部４０と右手用グリップ部５０は、互いに略同一の筒形状であり、図７に示すように、長手方向（Ｚ方向）の直交断面が短軸ａ、長軸ｂの楕円形状となっている。ここで、左手用グリップ部４０のサイズは、図７の方向Ｐ１を周方向としたとき、例えば、図７に示す外周長さ（周長）が概ね１１５ｍｍ、外周に沿った測定用電極４１と通電用電極４２を結ぶ弧ｃの長さ（通電用電極と測定用電極との間のスペースの幅）が概ね２５ｍｍである。右手用グリップ部５０も左手用グリップ部４０と同一サイズである。なお、本実施形態では、左手用グリップ部４０及び右手用グリップ部５０は、略筒状に長手形状で構成したものを説明するが、左手用グリップ部４０及び右手用グリップ部５０の形状はこれらに限定されることはなく、例えば、環状に形成するなど、使用者が把持可能な形状を採用すればよい。
【００４０】
左手用グリップ部４０及び右手用グリップ部５０のそれぞれには、使用者による把持状態に応じた信号を出力するセンサー部４３、５３が配置されている。本実施形態においては、センサー部４３、５３は、左手用グリップ部４０及び右手用グリップ部５０の通電用電極４２、５２と測定用電極４１、５１との間のスペースに配置する例を示すが、本発明はこのような配置に限定されるものではない。本実施形態におけるセンサー部は、左手用グリップ部４０を使用者側（図１のＹ方向。図５（ｂ）参照。）から見た場合の左側に位置の前記スペースに設けられた左手用グリップ部４０のセンサー部４３と、右手用グリップ部５０を使用者側（図１のＹ方向。図６（ｂ）参照。）から見た場合の右側の前記スペースに設けられた右手用グリップ部５０のセンサー部５３と、を有する。
【００４１】
即ち、左手用グリップ部４０と右手用グリップ部５０は、載置部１１ａに乗る使用者に対して測定用電極４１、５１を手前側にして保持されているときに、通電用電極４２、５２が裏側に位置され、センサー部４３、５３は外側の所定位置にくるように、それぞれ配置されている。また、測定用電極４１、５１を手前側に並べて配置したとき、センサー部４３、５３は、測定用電極４１、５１に対して左右対称な位置にそれぞれ配置されている。ここで、手前側とは、図５（ａ）、図６（ａ）における右側であり、別言すると、図１に示すように、保持部１４、１５に左手用グリップ部４０と右手用グリップ部５０をそれぞれ保持した状態において、Ｙ方向に、本体部１１の載置部１１ａに立った使用者側となる方向である。裏側とは、Ｙ方向において前記「手前側」の反対の面である。
【００４２】
なお、本発明によるセンサー部は、上記の構成に限定されるものではなく、左手用グリップ部４０のセンサー部４３は、左手用グリップ部４０の周面のうち、使用者が左手で把持した場合に左の手の平側で覆われる位置に設けられ、右手用グリップ部５０のセンサー部５３は、右手用グリップ部５０の周面のうち、使用者が右手で把持した場合に右の手の平側で覆われる位置に設けられていればよい。
【００４３】
左手用グリップ部４０のセンサー部４３、及び、右手用グリップ部５０のセンサー部５３は、それぞれ同数かつ複数のセンサーで構成される。本実施形態では、センサー部４３は、左手用グリップ部４０の長手方向（図５のＺ方向）に沿って等間隔に配置された、５枚の歪みゲージ４３ａ、４３ｂ、４３ｃ、４３ｄ、４３ｅを備える。センサー部５３は、センサー部４３と同様に、右手用グリップ部５０の長手方向（図６のＺ方向）に沿って等間隔に配置された、５枚の歪みゲージ５３ａ、５３ｂ、５３ｃ、５３ｄ、５３ｅを備える。
【００４４】
図２に示すように、歪みゲージ４３ａは、固定抵抗４４Ｒ１、４４Ｒ２、４４Ｒ３とともにブリッジ回路４３Ｂａを構成し、このブリッジ回路４３Ｂａには、電源４４Ｖから電圧が印加されており、ブリッジ回路４３Ｂａからの出力は増幅器４５で増幅され、Ａ／Ｄ変換器４６によってデジタル信号に変換されて制御部２９へ出力される。歪みゲージ４３ｂ乃至歪みゲージ４３ｅも同様に、ブリッジ回路４３Ｂｂ（図２では図示省略）乃至ブリッジ回路４３Ｂｅを構成し、それぞれの出力が、増幅器４５、Ａ／Ｄ変換器４６を介して制御部２９へ出力される。また、歪みゲージ４３ａと同様に、歪みゲージ５３ａは、固定抵抗５４Ｒ１、５４Ｒ２、５４Ｒ３とともにブリッジ回路５３Ｂａを構成し、このブリッジ回路５３Ｂａには、電源５４Ｖから電圧が印加されており、ブリッジ回路５３Ｂａからの出力は増幅器５５で増幅され、Ａ／Ｄ変換器５６によってデジタル信号に変換されて制御部２９へ出力される。歪みゲージ５３ｂ乃至歪みゲージ５３ｅも同様に、ブリッジ回路５３Ｂｂ（図２では図示省略）乃至ブリッジ回路５３Ｂｅを構成し、それぞれの出力が、増幅器５５、Ａ／Ｄ変換器５６を介して制御部２９へ出力される。
【００４５】
歪みゲージ４３ａ、４３ｂ、４３ｃ、４３ｄ、４３ｅは、それぞれ、使用者が左手用グリップ部４０を把持したときに、使用者の手が触れることによって圧力が加わり変形する。変形した歪みゲージは電気抵抗値が変化するため、そのブリッジ回路からは、変形していない歪みゲージのブリッジ回路からの出力とは異なる出力を得ることが可能となる。これによって、後述の判別部２６は、どの歪みゲージに使用者の手が触れているかを判別することが可能となる。歪みゲージ５３ａ、５３ｂ、５３ｃ、５３ｄ、５３ｅについても同様である。
【００４６】
ここで、図８を参照して左手用グリップ部４０上の歪みゲージの配置について説明する。歪みゲージは、使用者の左右の手のいずれが接触しているかを判別するために、少なくとも３つ以上設ける。測定用電極４１と通電用電極４２と間のスペースのうち、左手用グリップ部４０の長手方向（図８のＺ方向）に沿って、かつ、測定用電極４１及び通電用電極４２の上端及び下端の位置に合わせて、１つずつ（歪みゲージ４３ａ及び歪みゲージ４３ｅ）設けると共に、３つ目以降の歪みゲージ（歪みゲージ４３ｂ〜歪みゲージ４３ｄ）は、前記２つの歪みゲージ４３ａ、４３ｅの間のスペース４３ｓに配置すればよい。なお、センサー部４３、５３は、一例として、２５ｍｍ間隔で５個の歪みゲージを並べることにより、一端の歪みゲージ４３ａ、５３ａから他端の歪みゲージ４３ｅ、５３ｅまでの長さが１２５ｍｍとなるように設ければよい。図５、図６に示す例では、左手用グリップ部４０及び右手用グリップ部５０の長手方向（図５、図６のＺ方向）に５枚の歪みゲージを並べたが、歪みゲージの枚数を６枚以上とするとさらに精密な判別を行うことができる点で好ましい。右手用グリップ部５０上の歪みゲージの配置については左手用グリップ部４０の場合と同様であり、左手用グリップ部４０の歪みゲージに対応する位置と対照させて、同じ数だけ配置する。
【００４７】
判別部２６は、左手用グリップ部４０のセンサー部４３及び右手用グリップ部５０のセンサー部５３からの出力信号に基づいて、左手用グリップ部４０及び右手用グリップ部５０を使用者が左右いずれの手によって把持しているか、を判別する。なお、判定部２６の機能を制御部２９にもたせてもよい。本実施形態では、判別部２６は、センサー部４３としての歪みゲージ４３ａ〜４３ｅをそれぞれ含むブリッジ回路４３Ｂａ〜４３Ｂｅからの各出力信号と、センサー部５３としての歪みゲージ５３ａ〜５３ｅをそれぞれ含むブリッジ回路５３Ｂａ〜５３Ｂｅからの出力信号に基づいて前記判別を行う。
【００４８】
本実施形態におけるセンサー部４３、５３は、上述のように、測定用電極４１、５１を手前側に配置したときに外側の所定位置にそれぞれ配置するため、例えば、左手用グリップ部４０が左手で把持された場合は、センサー部４３は接触面積の広い手の平側で覆われるために、多くの歪みゲージに接触するのに対し、右手で把持された場合は、センサー部４３は接触面積の狭い指側で覆われるために、接触する歪みゲージは少ない。このように、センサー部４３、５３が使用者の手の平側で覆われるか指側で覆われるかによって、変形する歪みゲージの枚数が異なる。従って、判別部２６は、センサー部４３、５３が使用者の手の平側又は指側のいずれによって覆われているかを、使用者が左手用グリップ部４０及び右手用グリップ部５０を把持しているときのセンサー部４３、５３の出力信号に基づいて判別し、該判別の結果に応じて、左手用グリップ部４０及び右手用グリップ部５０を使用者が左右いずれの手によって把持しているか、を判別する。より詳しくは後述する。
【００４９】
次に、図９及び図１０を参照して、体組成計１０による生体測定の流れについて説明する。図９は、体組成計１０による測定の処理の流れを示すフローチャート、図１０（ａ）は第１実施形態の左手用グリップ部を使用者が左手で正しく把持した状態を示す側面図、（ｂ）は（ａ）に対応する正面図、（ｃ）は右手用グリップ部を誤って左手で把持した状態を示す側面図である。
【００５０】
測定処理がスタートすると、制御部２９は、ロードセル２７の無負荷時における出力値を取得してゼロ点として設定する、ゼロ点更新処理を行う（ステップＳ１０１）。その後、制御部２９は、体重測定処理を実行する（ステップＳ１０２）。より具体的には、制御部２９は、表示部２１に使用者への所定の案内事項を表示させて、使用者に対して体組成計１０の本体１１の載置部１１ａに乗るように指示し、使用者が載置部１１ａに乗ったときのロードセル２７の出力値を取得し、演算部２４に対して体重値の演算を実行させる。また、制御部２９は、体重の測定の結果を記憶部２５に格納させる。
【００５１】
次に、制御部２９は、左手用グリップ部４０のセンサー部４３及び右手用グリップ部５０のセンサー部５３からの出力信号を取得する（ステップＳ１０３）。より具体的には、センサー部４３としての歪みゲージ４３ａ〜４３ｅをそれぞれ含むブリッジ回路４３Ｂａ〜４３ｅからの各出力信号を増幅器４５で増幅しＡ／Ｄ変換器４６でデジタル信号に変換したデータと、センサー部５３としての歪みゲージ５３ａ〜５３ｅをそれぞれ含むブリッジ回路５３Ｂａ〜５３Ｂｅからの各出力信号を増幅器５５で増幅しＡ／Ｄ変換器５６でデジタル信号に変換したデータと、を取得する。制御部２９は、読み取ったデータを判別部２６に送出する。
【００５２】
次に、判別部２６は、センサー部４３、５３の出力信号に基づいて、左手用グリップ部４０及び右手用グリップ部５０を使用者が左右いずれの手によって把持しているか、を判別する（ステップＳ１０４）。
【００５３】
判別の一例としては、以下のように行う。使用者が左手用グリップ部４０及び右手用グリップ部５０を把持しているときの左手用グリップ部４０のセンサー部４３の出力信号（例えば、ブリッジ回路４３Ｂａ〜４３Ｂｅの出力の合計）及び右手用グリップ部５０のセンサー部５３の出力信号（例えば、ブリッジ回路５３Ｂａ〜５３Ｂｅの出力の合計）が、（１）いずれも所定閾値以上の場合には、左手用グリップ部４０を左手によって、右手用グリップ部５０を右手によって把持していると判別し、（２）いずれも所定閾値未満の場合には、左手用グリップ部４０を右手によって、右手用グリップ部５０を左手によって把持していると判別する。また、判別の別例としては、以下のように行う。
【００５４】
（１）使用者が左手用グリップ部４０及び右手用グリップ部５０を把持しているときに、（ａ）左手用グリップ部４０のセンサー部４３としての歪みゲージのうち、出力信号が所定閾値出力を超える歪みゲージ（複数のセンサー）の数が所定数以上であり、かつ、（ｂ）右手用グリップ部５０のセンサー部５３としての歪みゲージのうち、出力信号が所定閾値出力を超える歪みゲージ（複数のセンサー）の数が所定数以上である場合には、左手用グリップ部４０を左手によって、右手用グリップ部５０を右手によって把持していると判別する。
【００５５】
本実施形態におけるセンサー部４３、５３は、それぞれ同数かつ複数のセンサーとして、４３ａ〜４３ｅ、５３ａ〜５３ｅで示す各５枚の歪みゲージで構成しているので、例えば、前記の所定数は３枚として設定すればよい。なお、所定閾値出力は、歪みゲージに手が接触しているか否かを判別するために定めた出力値（ｍｖ／Ｖ）である。従って、（ａ）左手用グリップ部４０の歪みゲージ４３ａ〜４３ｅをそれぞれ含むブリッジ回路４３Ｂａ〜４３Ｂｅのうち、出力信号が所定閾値出力を超えるブリッジ回路に係る歪みゲージの数が３枚以上であって、（ｂ）右手用グリップ部５０の歪みゲージ５３ａ〜５３ｅをそれぞれ含むブリッジ回路５３Ｂａ〜５３Ｂｅのうち、出力信号が所定閾値出力を超えるブリッジ回路に係る歪みゲージの数が３枚以上である場合に、判別部２６は、使用者が左右のグリップ部４０、５０を正しく把持している、即ち、左右を間違えることなく、左手で左手用グリップ部４０を把持し、右手で右手用グリップ部５０を把持している、と判別する。図１０（ａ）及び（ｂ）に示すようにして、使用者が左手用グリップ部４０を正しく左手で把持した場合には、センサー部４３は接触面積の広い手の平側で覆われるために、多くの歪みゲージに接触し、図１０（ａ）では、使用者の左手の手の平が歪みゲージ４３ａ〜４３ｃの３枚に接触する。このとき、歪みゲージ４３ａ〜４３ｃは、使用者の把持の圧力によって変形して抵抗値が変化するが、接触していない歪みゲージ４３ｄ、４３ｅには把持の圧力がないために、それらの抵抗値は殆ど変化しない。従って、歪みゲージ４３ａ〜４３ｃをそれぞれ含むブリッジ回路４３Ｂａ〜４３Ｂｅからは所定閾値出力を超える出力を検出でき、出力信号が所定閾値出力を超える歪みゲージの数が所定数（３枚）以上となる。使用者が右手用グリップ部５０を正しく右手で把持した場合についても同様である。その結果、判別部２６は、使用者が左右のグリップ部４０、５０を正しく把持している、と判別する。
【００５６】
（２）使用者が左手用グリップ部４０及び右手用グリップ部５０を把持しているときに、（ａ）左手用グリップ部４０のセンサー部４３としての歪みゲージのうち、出力信号が所定閾値出力を超える歪みゲージ（複数のセンサー）の数が所定数未満であり、かつ、（ｂ）右手用グリップ部５０のセンサー部５３としての歪みゲージのうち、出力信号が所定閾値出力を超える歪みゲージ（複数のセンサー）の数が所定数未満である場合には、左手用グリップ部４０を右手によって、右手用グリップ部５０を左手によって把持していると判別する。
【００５７】
本実施形態におけるセンサー部４３、５３は、それぞれ同数かつ複数のセンサーとして、４３ａ〜４３ｅ、５３ａ〜５３ｅで示す各５枚の歪みゲージで構成しているので、所定数は、上記と同様の数（３枚）を設定し、所定閾値出力も、上記と同様の出力値（ｍｖ／Ｖ）を設定する。従って、（ａ）左手用グリップ部４０の５枚の歪みゲージ４３ａ、４３ｂ、４３ｃ、４３ｄ、４３ｅのうち、出力信号が所定閾値出力を超える歪みゲージの数が３枚未満であって、（ｂ）右手用グリップ部５０の５枚の歪みゲージ５３ａ、５３ｂ、５３ｃ、５３ｄ、５３ｅのうち、出力信号が所定閾値出力を超える歪みゲージの数が３枚未満である場合に、判別部２６は、使用者が左右のグリップ部４０、５０を誤って把持している、即ち、左右を誤って、左手で右手用グリップ部５０を把持し、右手で左手用グリップ部４０を把持していると判別する。図１０（ｃ）に示すようにして、使用者が右手用グリップ部５０を誤って左手で把持した場合には、センサー部５３は接触面積の狭い指側で覆われるために、接触する歪みゲージは少なく、図１０（ｃ）では、使用者の左手の親指が歪みゲージ５３ａの１枚のみに接触する。このとき、歪みゲージ５３ａは、使用者の把持の圧力によって変形して抵抗値が変化するが、接触していない歪みゲージ４３ｂ〜４３ｅには把持の圧力がないために、それらの抵抗値は殆ど変化しない。従って、歪みゲージ５３ａを含むブリッジ回路５３Ｂａからは所定閾値出力を超える出力を検出でき、出力信号が所定閾値出力を超える歪みゲージの数が所定数（３枚）未満となる。使用者が左手用グリップ部４０を誤って右手で把持した場合についても同様である。その結果、判別部２６は、使用者が左右のグリップ部４０、５０を左右誤って把持している、と判別する。
【００５８】
なお、出力信号が所定閾値出力を超える歪みゲージ（複数のセンサー）の数についての閾値である前記所定数は、歪みゲージの個数や配置に応じて適宜設定すればよい。また、使用者の手の大きさは特に年齢に応じて相違するため、例えば、使用者の年齢が、１２歳以下の場合の所定数は、１２歳を超える年齢の場合の所定数よりも少なく変更して、より適切な判別をすることができるようにする。
【００５９】
使用者が左右のグリップ部４０、５０の把持を間違えていると判別部２６が判別した場合（ステップＳ１０５でＹＥＳ）、制御部２９は、左右の手電極機能の切替を行う（ステップＳ１０６）。即ち、判定部２６による判別結果を受けた制御部２９は、電極切替部６３に対して、左手用の通電用電極４２及び測定用電極４１を右手用の通電用電極５２及び測定用電極５１として機能させ、かつ、右手用の通電用電極５２及び測定用電極５１を左手用の通電用電極４２及び測定用電極４１として機能させるための切替を実行する指示信号を出力する。より具体的には、電極切替部６３は、切替前において、使用者の左手に接触するものとして想定していた測定用電極４１及び通電用電極４２、並びに、使用者の右手に接触するものとして想定していた測定用電極５１及び通電用電極５２を、切替後は、測定用電極４１及び通電用電極４２は使用者の右手に接触し、測定用電極５１及び通電用電極５２は使用者の左手に接触しているものとして、各電極を用いた電流印加及び電圧測定を行うために、電源供給部６１及び電圧測定部６２に接続する電極を切り替える。
【００６０】
即ち、以下のような電流供給及び電位差測定を実行できるように、電極を切り替える。
（１）全身の生体インピーダンスの測定は、通電用電極５２及び通電用電極３１ａを用いて電流を供給し、左手、左腕、胸部、腹部、左脚、左足を流れる電流経路において、その左手に接触している測定用電極５１と左足に接触している測定用電極３１ｂとの間で電位差を測定する。
（２）右下肢の生体インピーダンスの測定は、通電用電極４２及び通電用電極３２ａを用いて電流を供給し、右手、右腕、胸部、腹部、右脚、右足を流れる電流経路において、その左足に接触している測定用電極３１ｂと右足に接触している測定用電極３２ｂとの間で電位差を測定する。
（３）左下肢の生体インピーダンスの測定は、通電用電極５２及び通電用電極３１ａを用いて電流を供給し、左手、左腕、胸部、腹部、左脚、左足を流れる電流経路において、その左足に接触している測定用電極３１ｂと右足に接触している測定用電極３２ｂとの間で電位差を測定する。
（４）右上肢の生体インピーダンスの測定は、通電用電極４２及び通電用電極３２ａを用いて電流を供給し、右手、右腕、胸部、腹部、右脚、右足を流れる電流経路において、その左手に接触している測定用電極５１と右手に接触している測定用電極４１との間で電位差を測定する。
（５）左上肢の生体インピーダンスの測定は、通電用電極５２及び通電用電極３１ａを用いて電流を供給し、左手、左腕、胸部、腹部、左脚、左足を流れる電流経路において、その左手に接触している測定用電極５１と右手に接触している測定用電極４１との間で電位差を測定する。
【００６１】
ステップＳ１０６の処理後、又は、使用者が左右のグリップ部４０、５０を正しく把持していると判別部２６が判別した場合（ステップＳ１０５でＮＯ）、制御部２９は、通電用電極３１ａ、３２ａ、４２、５２のうち所定の電極を用いて、使用者の体内に所定の電流を供給する（ステップＳ１０７）。また、制御部２９は、測定用電極３１ｂ、３２ｂ、測定用電極４１、５１のうち所定の電極を用いて、使用者の全身及び各身体部位における電圧（電位差）を測定し、この測定値に基づいて、使用者の生体インピーダンスを演算部２４に算出させる（ステップＳ１０８）。さらに、制御部２９は、ステップＳ１０２で取得した体重や、ステップＳ１０８で算出した全身及び各身体部位ごとの生体インピーダンスなどを用いて、各種生体情報（脂肪率等）を演算部２４に算出させる（ステップＳ１０９）。制御部２９は、生体情報の測定結果を表示部２１に表示させた後（ステップＳ１１０）、体組成計１０の動作を終了させる。
【００６２】
以上のように構成されたことから、第１実施形態によれば、次の効果を奏する。
（１）使用者が左手用電極を左手に接触させ右手用電極を左手に接触させているかを判別可能であるので、使用者が左手用グリップ部と右手用グリップ部とを左右逆の手で把持している場合であっても、逆の手で把持していることを判別することができ、これにより正しい測定結果、特に各身体部位ごとの生体インピーダンスを得ることができる。
（２）特に、使用者が左手用グリップ部と右手用グリップ部とを左右逆の手で把持している場合には、左右の手電極機能の切替を行うので、使用者にグリップ部の持ち替え動作を強いることなく、正しい測定結果を得ることができる。
（３）また、従来のように持ち方のミスを避けるために設けられていた、保持構造に左右逆のグリップ部が保持されないための構造を別途備える必要がなくなるため、左手用グリップ部及び右手用グリップ部の外装部品を共通化でき、製造コストの低減にも役立つ。
【００６３】
以下に、第１実施形態の変形例について説明する。
＜第１変形例＞
図１１は、第１変形例における左手用グリップ部１４０の構成を示す図であって、（ａ）は左側面図、（ｂ）は右側面図、図１２は、第１変形例における右手用グリップ部１５０の構成を示す図であって、（ａ）は左側面図、（ｂ）は右側面図である。
【００６４】
上述の第１実施形態の左手用グリップ部４０及び右手用グリップ部５０は、測定用電極４１、５１を手前側に配置した状態において、歪みゲージ４３ａ〜４３ｅ、５３ａ〜５３ｅを外側にそれぞれ配置させるものであった。第１変形例に係る左手用グリップ部１４０（図１１参照）及び右手用グリップ部１５０（図１１参照）のそれぞれには、使用者による把持状態に応じた信号を出力するセンサー部が、左手用グリップ部１４０及び右手用グリップ部１５０の長手方向に沿って通電用電極１４２、１５２と測定用電極１４１、１５１との間のスペースに配置されている点は上述の第１実施形態と同じであるが、次の点で異なる。第１変形例におけるセンサー部は、左手用グリップ部１４０を使用者側（図１のＹ方向）から見た場合の右側の前記スペースに設けられた左手用グリップ部１４０のセンサー部１４３と、右手用グリップ部１５０を使用者側（図１のＹ方向）から見た場合の左側の前記スペースに設けられた右手用グリップ部１５０のセンサー部１５３と、を有する。
【００６５】
即ち、左手用グリップ部１４０及び右手用グリップ部１５０は、載置部１１ａに乗る使用者に対して測定用電極１４１、１５１を手前側にして保持されているときに、通電用電極１４２、１５２が裏側に配置され、センサー部１４３、１５３は内側の所定位置にくるように、それぞれ配置されている。
左手用グリップ部１４０のセンサー部１４３、及び、右手用グリップ部１５０のセンサー部１５３は、それぞれ同数かつ複数のセンサーで構成される。第１変形例では、センサー部１４３は、上述の第１実施形態と同様に、左手用グリップ部１４０の長手方向（図１１のＺ方向）に沿って等間隔に配置された、５枚の歪みゲージ１４３ａ、１４３ｂ、１４３ｃ、１４３ｄ、１４３ｅを備える。センサー部１５３は、センサー部１４３と同様に、右手用グリップ部１５０の長手方向（図１２のＺ方向）に沿って等間隔に配置された、５枚の歪みゲージ１５３ａ、１５３ｂ、１５３ｃ、１５３ｄ、１５３ｅを備える。
【００６６】
なお、本発明によるセンサー部は、上記の構成に限定されるものではなく、左手用グリップ部１４０のセンサー部１４３は、左手用グリップ部１４０の周面のうち、使用者が左手で把持した場合に左手の指先側で覆われる位置に設けられ、右手用グリップ部１５０のセンサー部１５３は、右手用グリップ部１５０の周面のうち、使用者が右手で把持した場合に右手の指先側で覆われる位置に設けられていればよい。
【００６７】
左手用グリップ部１４０及び右手用グリップ部１５０は、歪みゲージの配置を除いて、第１実施形態の左手用グリップ部４０及び右手用グリップ部５０と同じ形状を備える。また、左手用グリップ部１４０及び右手用グリップ部１５０以外の構成は第１実施形態の体組成計１０と同様であるため、その説明は省略する。
【００６８】
第１変形例に係る体組成計による生体測定の流れは、以下の点を除いて、図９に示す第１実施形態における処理の流れと同様である。
【００６９】
第１変形例においては、歪みゲージ１４３ａ〜１４３ｅ、１５３ａ〜１５３ｅが内側に配置されているため、判別の一例としては、以下のように行う。使用者が左手用グリップ部１４０及び右手用グリップ部１５０を把持しているときの左手用グリップ部１４０のセンサー部１４３の出力信号（例えば、ブリッジ回路１４３Ｂａ〜１４３Ｂｅの出力の合計）及び右手用グリップ部１５０のセンサー部１５３の出力信号（例えば、ブリッジ回路１５３Ｂａ〜１５３Ｂｅの出力の合計）が、（１）いずれも所定閾値未満の場合には、左手用グリップ部１４０を左手によって、右手用グリップ部１５０を右手によって把持していると判別し、（２）いずれも所定閾値以上の場合には、左手用グリップ部１４０を右手によって、右手用グリップ部１５０を左手によって把持していると判別する。また、判別の別例としては、以下のように行う。
【００７０】
（１）使用者が左手用グリップ部１４０及び右手用グリップ部１５０を把持しているときに、（ａ）左手用グリップ部１４０のセンサー部１４３としての歪みゲージのうち、出力信号が所定閾値出力を超える歪みゲージ（複数のセンサー）の数が所定数未満であり、かつ、（ｂ）右手用グリップ部１５０のセンサー部１５３としての歪みゲージのうち、出力信号が所定閾値出力を超える歪みゲージ（複数のセンサー）の数が所定数未満である場合には、左手用グリップ部１４０を左手によって、右手用グリップ部１５０を右手によって把持していると判別する。従って、（ａ）左手用グリップ部１４０の歪みゲージ１４３ａ〜１４３ｅをそれぞれ含むブリッジ回路１４３Ｂａ〜１４３Ｂｅのうち、出力信号が所定閾値出力を超えるブリッジ回路に係る歪みゲージの数が３枚未満であって、（ｂ）右手用グリップ部１５０の歪みゲージ１５３ａ〜１５３ｅをそれぞれ含むブリッジ回路１５３Ｂａ〜１５３Ｂｅのうち、出力信号が所定閾値出力を超えるブリッジ回路に係る歪みゲージの数が３枚未満である場合に、判別部２６は、使用者が左右のグリップ部１４０、１５０を正しく把持している、即ち、左右を間違えることなく、左手で左手用グリップ部１４０を把持し、右手で右手用グリップ部１５０を把持している、と判別する。
【００７１】
（２）使用者が左手用グリップ部１４０及び右手用グリップ部１５０を把持しているときに、（ａ）左手用グリップ部１４０のセンサー部１４３としての歪みゲージのうち、出力信号が所定閾値出力を超える歪みゲージ（複数のセンサー）の数が所定数以上であり、かつ、（ｂ）右手用グリップ部１５０のセンサー部１５３としての歪みゲージのうち、出力信号が所定閾値出力を超える歪みゲージ（複数のセンサー）の数が所定数以上である場合には、左手用グリップ部１４０を右手によって、右手用グリップ部１５０を左手によって把持していると判別する。従って、（ａ）左手用グリップ部１４０の歪みゲージ１４３ａ〜１４３ｅをそれぞれ含むブリッジ回路１４３Ｂａ〜１４３Ｂｅのうち、出力信号が所定閾値出力を超えるブリッジ回路に係る歪みゲージの数が３枚以上であって、（ｂ）右手用グリップ部１５０の歪みゲージ１５３ａ〜１５３ｅをそれぞれ含むブリッジ回路１５３Ｂａ〜１５３Ｂｅのうち、出力信号が所定閾値出力を超えるブリッジ回路に係る歪みゲージの数が３枚以上である場合に、判別部２６は、使用者が左右のグリップ部１４０、１５０を誤って把持している、即ち、左右を誤って、左手で右手用グリップ部１５０を把持し、右手で左手用グリップ部１４０を把持していると判別する。
【００７２】
＜第２変形例＞
図１３は、第２変形例における左手用グリップ部２４０の構成を示す図であって、（ａ）は左側面図、（ｂ）は右側面図、図１４は、第２変形例における右手用グリップ部２５０の構成を示す図であって、（ａ）は左側面図、（ｂ）は右側面図、図１５は、第２変形例におけるセンサー部２４３、２５３、２７３、２８３から制御部２９までの接続を示すブロック図である。
【００７３】
第２変形例に係る左手用グリップ部２４０（図１３参照）及び右手用グリップ部２５０（図１４参照）のそれぞれには、使用者による把持状態に応じた信号を出力するセンサー部が、左手用グリップ部２４０及び右手用グリップ部２５０の長手方向に沿って通電用電極２４２、２５２と測定用電極２４１、２５１との間のスペースに配置されている点は上述の第１実施形態と同じであるが、次の点で異なる。第２変形例におけるセンサー部は、左手用グリップ部２４０を使用者側（図１のＹ方向）から見た場合の左側の前記スペースに設けられた左手用グリップ部２４０の第１センサー部２４３及び右側の前記スペースに設けられた左手用グリップ部２４０の第２センサー部２７３、並びに、右手用グリップ部２５０を使用者側（図１のＹ方向）から見た場合の右側の前記スペースに設けられた右手用グリップ部２５０の第３センサー部２５３及び左側の前記スペースに設けられた右手用グリップ部２５０の第４センサー部２８３、を有する。
【００７４】
即ち、左手用グリップ部２４０及び右手用グリップ部２５０は、載置部１１ａに乗る使用者に対して測定用電極２４１、２５１を手前側にして保持されているときに、通電用電極２４２、２５２が裏側に配置され、センサー部２４３、２５３は外側及び内側の所定位置にくるように、それぞれ配置されている。
左手用グリップ部２４０の第１センサー部２４３及び第２センサー部２７３、並びに、右手用グリップ部２５０の第３センサー部２５３及び第３センサー部２８３は、それぞれ同数かつ複数のセンサーで構成される。第２変形例では、第１センサー部２４３は、上述の第１実施形態のセンサー部４３と同様に、左手用グリップ部２４０の長手方向（図１３のＺ方向）に沿って等間隔に配置された、５枚の歪みゲージ２４３ａ、２４３ｂ、２４３ｃ、２４３ｄ、２４３ｅを備え、第２センサー部２４７は、上述の第１実施形態の変形例１のセンサー部１４３と同様に、左手用グリップ部２４０の長手方向（図１３のＺ方向）に沿って等間隔に配置された、５枚の歪みゲージ２７３ａ、２７３ｂ、２７３ｃ、２７３ｄ、２７３ｅを備える。第３センサー部２５３は、上述の第１実施形態のセンサー部５３と同様に、左手用グリップ部２５０の長手方向（図１４のＺ方向）に沿って等間隔に配置された、５枚の歪みゲージ２５３ａ、２５３ｂ、２５３ｃ、２５３ｄ、２５３ｅを備え、第４センサー部２８３は、上述の第１実施形態の変形例１のセンサー部１５３と同様に、左手用グリップ部２５０の長手方向（図１３のＺ方向）に沿って等間隔に配置された、５枚の歪みゲージ２８３ａ、２８３ｂ、２８３ｃ、２８３ｄ、２８３ｅを備える。
【００７５】
なお、本発明によるセンサー部は、上記の構成に限定されるものではなく、左手用グリップ部２４０の第１センサー部２４３は、左手用グリップ部２４０の周面のうち、使用者が左手で把持した場合に左の手の平側で覆われる位置、第２センサー部２７３は、左手の指先側で覆われる位置、に設けられ、また、右手用グリップ部２５０の第３センサー部２５３は、右手用グリップ部２５０の周面のうち、使用者が右手で把持した場合に右の手の平側で覆われる位置、第４センサー部２８３は、右手の指先側で覆われる位置、に設けられていればよい。
【００７６】
左手用グリップ部２４０及び右手用グリップ部２５０は、歪みゲージの配置を除いて、第１実施形態の左手用グリップ部４０及び右手用グリップ部５０と同じ形状を備える。また、左手用グリップ部２４０及び右手用グリップ部２５０以外の構成は第１実施形態の体組成計１０と同様であるため、その説明は省略する。
【００７７】
図１５に示すように、歪みゲージ２４３ａは、固定抵抗２４４Ｒ１、２４４Ｒ２、２４４Ｒ３とともにブリッジ回路２４３Ｂａを構成し、このブリッジ回路２４３Ｂａには、電源２４４Ｖから電圧が印加されており、ブリッジ回路２４３Ｂａからの出力は増幅器２４５で増幅され、Ａ／Ｄ変換器２４６によってデジタル信号に変換されて制御部２９へ出力される。また、歪みゲージ２７３ａは、固定抵抗２７４Ｒ１、２７４Ｒ２、２７４Ｒ３とともにブリッジ回路２７３Ｂａを構成し、このブリッジ回路２７３Ｂａには、電源２７４Ｖから電圧が印加されており、ブリッジ回路２７３Ｂａからの出力は増幅器２７５で増幅され、Ａ／Ｄ変換器２７６によってデジタル信号に変換されて制御部２９へ出力される。また、歪みゲージ２５３ａは、固定抵抗２５４Ｒ１、２５４Ｒ２、２５４Ｒ３とともにブリッジ回路２５３Ｂａを構成し、このブリッジ回路２５３Ｂａには、電源２５４Ｖから電圧が印加されており、ブリッジ回路２５３Ｂａからの出力は増幅器２５５で増幅され、Ａ／Ｄ変換器２５６によってデジタル信号に変換されて制御部２９へ出力される。また、歪みゲージ２８３ａは、固定抵抗２８４Ｒ１、２８４Ｒ２、２８４Ｒ３とともにブリッジ回路２８３Ｂａを構成し、このブリッジ回路２８３Ｂａには、電源２８４Ｖから電圧が印加されており、ブリッジ回路２８３Ｂａからの出力は増幅器２８５で増幅され、Ａ／Ｄ変換器２８６によってデジタル信号に変換されて制御部２９へ出力される。歪みゲージ２４３ｂ乃至歪みゲージ２４３ｅは歪みゲージ２４３ａと同様に、歪みゲージ２７３ｂ乃至歪みゲージ２７３ｅは歪みゲージ２７３ａと同様に、歪みゲージ２５３ｂ乃至歪みゲージ２５３ｅは歪みゲージ２５３ａと同様に、歪みゲージ２８３ｂ乃至歪みゲージ２８３ｅは歪みゲージ２８３ａと同様に、それぞれブリッジ回路２４３Ｂｂ〜２４３Ｂｅ、２７３Ｂｂ〜２７３Ｂｅ、２５３Ｂｂ〜２５３Ｂｅ、２８３Ｂｂ〜２８３Ｂｅを構成し、それぞれの出力が、増幅器、Ａ／Ｄ変換器を介して制御部２９へ出力される。
【００７８】
第２変形例に係る体組成計による生体測定の流れは、以下の点を除いて、図９に示す第１実施形態における処理の流れと同様である。
第２変形例においては、歪みゲージが測定用電極及び通電用電極の両側に配置されているため、判別部２６による判別は、例えば以下のように行う。
【００７９】
（１）使用者が左手用グリップ部２４０及び右手用グリップ部２５０を把持しているときに、（ａ）第１センサー部２４３の出力信号が第２センサー部２７３の出力信号よりも大きく、かつ、（ｂ）第３センサー部２５３の出力信号が第４センサー部２８３の出力信号よりも大きい場合には、左手用グリップ部２０４を左手によって、右手用グリップ部２５０を右手によって把持していると判別する。従って、（ａ）左手用グリップ部２４０の外側の第１センサー部２７３からの出力（ブリッジ回路２４３Ｂａ〜２４３Ｂｅの出力の合計）が、内側の第２センサー部２４３からの出力（ブリッジ回路２７３Ｂａ〜２７３Ｂｅの出力の合計）よりも大きく、かつ、（ｂ）右手用グリップ部２５０の外側の第３センサー部２５３からの出力（ブリッジ回路２５３Ｂａ〜２５３Ｂｅの出力の合計）が、内側の第４センサー部２８３からの出力（ブリッジ回路２８３Ｂａ〜２８３Ｂｅの出力の合計）よりも大きい場合に、判別部２６は、使用者が左右のグリップ部２４０、２５０を正しく把持している、即ち、左右を間違えることなく、左手で左手用グリップ部２４０を把持し、右手で右手用グリップ部２５０を把持している、と判別する。
【００８０】
（２）使用者が左手用グリップ部２４０及び右手用グリップ部２５０を把持しているときに、（ａ）第１センサー部２４３の出力信号が第２センサー部２７３の出力信号よりも小さく、かつ、（ｂ）第３センサー部２５３の出力信号が第４センサー部２８３の出力信号よりも小さい場合には、左手用グリップ部２０４を右手によって、右手用グリップ部２５０を左手によって把持していると判別する。従って、（ａ）左手用グリップ部２４０の外側の第１センサー部２７３からの出力（ブリッジ回路２４３Ｂａ〜２４３Ｂｅの出力の合計）が、内側の第２センサー部２４３からの出力（ブリッジ回路２７３Ｂａ〜２７３Ｂｅの出力の合計）よりも小さく、かつ、（ｂ）右手用グリップ部２５０の外側の第３センサー部２５３からの出力（ブリッジ回路２５３Ｂａ〜２５３Ｂｅの出力の合計）が、内側の第４センサー部２８３からの出力（ブリッジ回路２８３Ｂａ〜２８３Ｂｅの出力の合計）よりも小さい場合に、判別部２６は、使用者が左右のグリップ部２４０、２５０を誤って把持している、即ち、左右を誤って、右手で左手用グリップ部２４０を把持し、左手で右手用グリップ部２５０を把持している、と判別する。
【００８１】
なお、第１センサー部２４３の出力信号と第２センサー部２７３の出力信号とが等しい場合、及び、第３センサー部２５３の出力信号と第４センサー部２８３の出力信号とが等しい場合には、グリップ部２４０、２５０を使用者がいずれの手で把持しているかを判別せずに、測定処理を終了したり、又は、使用者に対して改めてグリップ部２４０、２５０を握り直すよう表示部２１に案内表示を行ったりすればよい。
【００８２】
＜第２実施形態＞
以下、本発明の第２実施形態について説明する。第２実施形態においては、歪みゲージに替えて光センサーをセンサー部として用いた点が、第１実施形態と異なる。その他の構成は第１実施形態と同様であって、同じ部材については同じ参照符号を使用し、その詳細な説明は省略する。
図１６（ａ）は、第２実施形態の左手用グリップ部の構成を示す左側面図、（ｂ）は右手用グリップ部の構成を示す左側面図、図１７は、第２実施形態におけるセンサー部から制御部までの接続を示すブロック図である。
【００８３】
第２実施形態に係る左手用グリップ部３４０（図１６（ａ）参照）及び右手用グリップ部３５０（図１６（ｂ）参照）のそれぞれには、使用者による把持状態に応じた信号を出力するセンサー部としての光センサーが、左手用グリップ部３４０及び右手用グリップ部３５０の長手方向に沿って通電用電極３４２、３５２と測定用電極３４１、３５１との間のスペースに配置されている。また、第２実施形態におけるセンサー部は、左手用グリップ部３４０を使用者側（図１のＹ方向）から見た場合の左側の前記スペースに設けられた左手用グリップ部３４０のセンサー部３４３と、右手用グリップ部３５０を使用者側（図１のＹ方向）から見た場合の右側の前記スペースに設けられた右手用グリップ部３５０のセンサー部３５３と、を有する。
【００８４】
即ち、左手用グリップ部３４０及び右手用グリップ部３５０は、載置部１１ａに乗る使用者に対して測定用電極３４１、３５１を手前側にして保持されているときに、通電用電極３４２、３５２が裏側に配置され、センサー部３４３、３５３は外側の所定位置にくるように、それぞれ配置されている。
左手用グリップ部３４０のセンサー部３４３、及び、右手用グリップ部３５０のセンサー部３５３は、それぞれ同数かつ複数のセンサーで構成される。第２実施形態では、センサー部３４３は、左手用グリップ部３４０の長手方向（図１６（ａ）のＺ方向）に沿って等間隔に配置された、１０個の光センサー３４３ａ、３４３ｂ、３４３ｃ、３４３ｄ、３４３ｅ、３４３ｆ、３４３ｇ、３４３ｈ、３４３ｉ、３４３ｊを備える。センサー部３５３は、センサー部３４３と同様に、右手用グリップ部３５０の長手方向（図１６（ｂ）のＺ方向）に沿って等間隔に配置された、１０個の光センサー３５３ａ、３５３ｂ、３５３ｃ、３５３ｄ、３５３ｅ、３５３ｆ、３５３ｇ、３５３ｈ、３５３ｉ、３５３ｊを備える。ここで用いる光センサーは、一例として入射光の強度に応じて出力可能なセンサーであって、本実施形態においては、グリップ部３４０、３５０を把持した使用者の手によって覆われているか否かに応じて、光センサーへの光の入射が妨げられた状態と、妨げられていない状態と、で出力が異なることを利用して把持状態を判別する。なお、センサー部３４３、３５３は、一例として、１０ｍｍ間隔で１０個の光センサーを並べることにより、一端の光センサー３４３ａ、３５３ａから他端の光センサー３４３ｊ、３５３ｊまでの長さが１００ｍｍとなるように設ければよい。
【００８５】
なお、本発明によるセンサー部は、上記の構成に限定されるものではなく、左手用グリップ部３４０のセンサー部３４３は、左手用グリップ部３４０の周面のうち、使用者が左手で把持した場合に左の手の平側で覆われる位置に設けられ、右手用グリップ部３５０のセンサー部３５３は、右手用グリップ部３５０の周面のうち、使用者が右手で把持した場合に右の手の平側で覆われる位置に設けられていればよい。
【００８６】
左手用グリップ部３４０及び右手用グリップ部３５０は、光センサーを除いて、第１実施形態の左手用グリップ部４０及び右手用グリップ部５０と同じ形状を備える。また、左手用グリップ部３４０及び右手用グリップ部３５０以外の構成は第１実施形態の体組成計１０と同様であるため、その説明は省略する。
【００８７】
図１７に示すように、光センサー３４３ａは、固定抵抗３４４Ｒ１、３４４Ｒ２とともに検出回路３４３Ｃａを構成し、この検出回路３４３Ｃａには、電源３４４Ｖから電圧が印加されており、検出回路３４３Ｃａからの出力信号は制御部２９へ出力される。光センサー３４３ｂ乃至光センサー３４３ｊは光センサー３４３ａと同様に、検出回路３４３Ｃｂ（図１７では図示省略）〜３４３Ｃｊを構成し、その出力信号が制御部２９へ出力される。また、光センサー３５３ａは、固定抵抗３５４Ｒ１、３５４Ｒ２とともに検出回路３５３Ｃａを構成し、この検出回路３５３Ｃａには、電源３５４Ｖから電圧が印加されており、検出回路３５３Ｃａからの出力信号は制御部２９へ出力される。光センサー３５３ｂ乃至光センサー３５３ｊは光センサー３５３ａと同様に、検出回路３５３Ｃｂ（図１７では図示省略）〜３５３Ｃｊを構成し、その出力信号が制御部２９へ出力される。
【００８８】
第２実施形態に係る体組成計による生体測定の流れは、以下の点を除いて、図９に示す第１実施形態における処理の流れと同様である。
第２実施形態においては、判別部２６は、センサー部３４３、３５３の出力信号に基づいて、左手用グリップ部３４０及び右手用グリップ部３５０を使用者が左右いずれの手によって把持しているかを、例えば以下のように判別する。
【００８９】
（１）使用者が左手用グリップ部３４０及び右手用グリップ部３５０を把持しているときに、（ａ）左手用グリップ部３４０のセンサー部３４３としての光センサのうち、出力信号が所定閾値出力を超える光センサー（複数のセンサー）の数が所定数以上であり、かつ、（ｂ）右手用グリップ部３５０のセンサー部３５３としての光センサーのうち、出力信号が所定閾値出力を超える光センサー（複数のセンサー）の数が所定数以上である場合には、左手用グリップ部３４０を左手によって、右手用グリップ部３５０を右手によって把持していると判別する。
【００９０】
本実施形態におけるセンサー部３４３、３５３は、それぞれ同数かつ複数のセンサーとして、３４３ａ〜３４３ｊ、３５３ａ〜３５３ｊで示す各１０個の光センサーで構成しているので、例えば、前記の所定数は７個として設定すればよい。なお、所定閾値出力は、例えば、使用者の手によって光センサが覆われたことにより光センサーへの光の入射が妨げられたと判別するのに適した、光センサへの入射光の強度に応じた出力値を設定すればよい。従って、（ａ）左手用グリップ部３４０の光センサー３４３ａ〜３４３ｊをそれぞれ含む検出回路３４３Ｃａ〜３４３Ｃｊのうち、出力信号が所定閾値出力を超える（本実施形態では、特に、所定閾値出力を超えるまで出力値が下がった）検出回路に係る光センサーの数が７個以上であって、（ｂ）右手用グリップ部３５０の光センサー３５３ａ〜３５３ｊをそれぞれ含む検出回路３５３Ｃａ〜３５３Ｃｊのうち、出力信号が所定閾値出力を超える（本実施形態では、特に、所定閾値出力を超えるまで出力値が下がった）検出回路に係る光センサーの数が７個以上である場合に、判別部２６は、使用者が左右のグリップ部３４０、３５０を正しく把持している、即ち、左右を間違えることなく、左手で左手用グリップ部３４０を把持し、右手で右手用グリップ部３５０を把持している、と判別する。使用者が左手用グリップ部３４０を正しく左手で把持した場合（図１０（ａ）及び（ｂ）参照）には、センサー部３４３は接触面積の広い手の平側で覆われるために、多くの光センサーを覆う。このとき、手で覆われた光センサは入射光の強度が低下するが、手で覆われていない光センサは、入射光の強度は殆ど変化しない。従って、手で覆われた光センサをそれぞれ含む検出回路からは所定閾値出力を超える（即ち、所定閾値出力を超えるまで出力値が下がった）出力を検出でき、出力信号が所定閾値出力を超える光センサの個数をカウントできる。使用者が右手用グリップ部３５０を正しく右手で把持した場合についても同様である。そのカウントの結果、所定数（７個）以上の場合には、判別部２６は、使用者が左右のグリップ部３４０、３５０を正しく把持している、と判別する。
【００９１】
（２）使用者が左手用グリップ部３４０及び右手用グリップ部３５０を把持しているときに、（ａ）左手用グリップ部３４０のセンサー部３４３としての光センサのうち、出力信号が所定閾値出力を超える光センサー（複数のセンサー）の数が所定数未満であり、かつ、（ｂ）右手用グリップ部３５０のセンサー部３５３としての光センサーのうち、出力信号が所定閾値出力を超える光センサー（複数のセンサー）の数が所定数未満である場合には、左手用グリップ部３４０を右手によって、右手用グリップ部３５０を左手によって把持していると判別する。
【００９２】
本実施形態におけるセンサー部３４３、３５３は、それぞれ同数かつ複数のセンサーとして、３４３ａ〜３４３ｊ、３５３ａ〜３５３ｊで示す各１０個の光センサーで構成しているので、所定数は、上記と同様の数（７個）を設定し、所定閾値出力も、上記と同様の出力値を設定する。従って、（ａ）左手用グリップ部３４０の光センサー３４３ａ〜３４３ｊをそれぞれ含む検出回路３４３Ｃａ〜３４３Ｃｊのうち、出力信号が所定閾値出力を超える（本実施形態では、特に、所定閾値出力を超えるまで出力値が下がった）検出回路に係る光センサーの数が７個未満であって、（ｂ）右手用グリップ部３５０の光センサー３５３ａ〜３５３ｊをそれぞれ含む検出回路３５３Ｃａ〜３５３Ｃｊのうち、出力信号が所定閾値出力を超える（本実施形態では、特に、所定閾値出力を超えるまで出力値が下がった）検出回路に係る光センサーの数が７個未満である場合に、判別部２６は、使用者が左右のグリップ部３４０、３５０を誤って把持している、即ち、左右を誤って、右手で左手用グリップ部３４０を把持し、左手で右手用グリップ部３５０を把持している、と判別する。使用者が左手用グリップ部３４０を誤って右手で把持した場合（図１０（ｃ）参照）には、センサー部３４３は接触面積の狭い指側（特に親指）で覆われるために、覆われる光センサーは少ない。このとき、手で覆われた光センサは入射光の強度が低下するが、手で覆われていない光センサは、入射光の強度は殆ど変化しない。従って、手で覆われた光センサをそれぞれ含む検出回路からは所定閾値出力を超える（即ち、所定閾値出力を超えるまで出力値が下がった）出力を検出でき、出力信号が所定閾値出力を超える光センサの個数をカウントできる。使用者が右手用グリップ部３５０を正しく右手で把持した場合についても同様である。そのカウントの結果、所定数（７個）未満の場合には、判別部２６は、使用者が左右のグリップ部３４０、３５０を誤って把持している、と判別する。
【００９３】
所定閾値出力は、上記した例とは反対に、使用者の手によって光センサが覆われておらず光センサーへの光の入射が妨げられていないと判別するのに適した、光センサへの入射光の強度に応じた出力値を設定してもよい。この場合には、以下のような判別を行えばよい。
（１）（ａ）左手用グリップ部３４０の光センサー３４３ａ〜３４３ｊをそれぞれ含む検出回路３４３Ｃａ〜３４３Ｃｊのうち、出力信号が所定閾値出力を超える（使用者の手により光センサが覆われていない）検出回路に係る光センサーの数が４個未満であって、（ｂ）右手用グリップ部３５０の光センサー３５３ａ〜３５３ｊをそれぞれ含む検出回路３５３Ｃａ〜３５３Ｃｊのうち、出力信号が所定閾値出力を超える（使用者の手により光センサが覆われていない）検出回路に係る光センサーの数が４個未満である場合に、判別部２６は、使用者が左右のグリップ部３４０、３５０を正しく把持している、即ち、左右を間違えることなく、左手で左手用グリップ部３４０を把持し、右手で右手用グリップ部３５０を把持している、と判別する。
（２）（ａ）左手用グリップ部３４０の光センサー３４３ａ〜３４３ｊをそれぞれ含む検出回路３４３Ｃａ〜３４３Ｃｊのうち、出力信号が所定閾値出力を超える（使用者の手により光センサが覆われていない）検出回路に係る光センサーの数が４個以上であって、（ｂ）右手用グリップ部３５０の光センサー３５３ａ〜３５３ｊをそれぞれ含む検出回路３５３Ｃａ〜３５３Ｃｊのうち、出力信号が所定閾値出力を超える（使用者の手により光センサが覆われていない）検出回路に係る光センサーの数が４個以上である場合に、判別部２６は、使用者が左右のグリップ部３４０、３５０を誤って把持している、即ち、左右を誤ってく、右手で左手用グリップ部３４０を把持し、左手で右手用グリップ部３５０を把持している、と判別する。
【００９４】
なお、その他の構成、作用、効果は第１実施形態と同様である。
【００９５】
以下に、第２実施形態の変形例について説明する。
＜第１変形例＞
図１８は、第２実施形態の第１変形例における左手用グリップ部４４０の構成を示す図であって、（ａ）は左側面図、（ｂ）は右側面図、図１９は、第２実施形態の第１変形例における右手用グリップ部４５０の構成を示す図であって、（ａ）は左側面図、（ｂ）は右側面図、図２０は、第２実施形態の第１変形例におけるセンサー部から制御部までの接続を示すブロック図である。
【００９６】
第１変形例に係る左手用グリップ部４４０（図１８参照）及び右手用グリップ部４５０（図１９参照）のそれぞれには、使用者による把持状態に応じた信号を出力するセンサー部が、左手用グリップ部４４０及び右手用グリップ部４５０の長手方向に沿って通電用電極４４２、４５２と測定用電極４４１、４５１との間のスペースに配置されている点は上述の第１実施形態と同じであるが、次の点で異なる。第１変形例におけるセンサー部は、左手用グリップ部４４０を使用者側（図１のＹ方向）から見た場合の左側の前記スペースに設けられた左手用グリップ部４４０の第１センサー部４４３及び右側の前記スペースに設けられた左手用グリップ部４４０の第２センサー部４７３、並びに、右手用グリップ部４５０を使用者側（図１のＹ方向）から見た場合の右側の前記スペースに設けられた右手用グリップ部４５０の第３センサー部４５３及び左側の前記スペースに設けられた右手用グリップ部４５０の第４センサー部４８３、を有する。
【００９７】
即ち、左手用グリップ部４４０及び右手用グリップ部４５０は、載置部１１ａに乗る使用者に対して測定用電極４４１、４５１を手前側にして保持されているときに、通電用電極４４２、４５２が裏側に配置され、センサー部４４３、４５３は外側及び内側の所定位置にくるように、それぞれ配置されている。
左手用グリップ部４４０の第１センサー部４４３及び第２センサー部４７３、並びに、右手用グリップ部４５０の第３センサー部４５３及び第３センサー部４８３は、それぞれ同数かつ複数のセンサーで構成される。第１変形例では、第１センサー部４４３は、上述の第２実施形態のセンサー部３４３と同様に、左手用グリップ部４４０の長手方向（図１８のＺ方向）に沿って等間隔に配置された、５個の光センサ４４３ａ、４４３ｂ、４４３ｃ、４４３ｄ、４４３ｅを備え、第２センサー部４７３は、上述の第１実施形態の変形例１のセンサー部１４３と同様に、左手用グリップ部４４０の長手方向（図１８のＺ方向）に沿って等間隔に配置された、５個の光センサー４７３ａ、４７３ｂ、４７３ｃ、４７３ｄ、４７３ｅを備える。第３センサー部４５３は、上述の第２実施形態のセンサー部３５３と同様に、左手用グリップ部４５０の長手方向（図１９のＺ方向）に沿って等間隔に配置された、５個の光センサー４５３ａ、４５３ｂ、４５３ｃ、４５３ｄ、４５３ｅを備え、第４センサー部４８３は、上述の第１実施形態の変形例１のセンサー部１５３と同様に、左手用グリップ部４５０の長手方向（図１９のＺ方向）に沿って等間隔に配置された、５個の光センサー４８３ａ、４８３ｂ、４８３ｃ、４８３ｄ、４８３ｅを備える。なお、センサー部４４３、４５３は、一例として、２５ｍｍ間隔で５個の光センサーを並べることにより、一端の光センサー４４３ａ、４５３ａから他端の光センサー４４３ｅ、４５３ｅまでの長さが１２５ｍｍとなるように設ければよい。
【００９８】
なお、本発明によるセンサー部は、上記の構成に限定されるものではなく、左手用グリップ部４４０の第１センサー部４４３は、左手用グリップ部４４０の周面のうち、使用者が左手で把持した場合に左の手の平側で覆われる位置、第２センサー部４７３は、左手の指先側で覆われる位置、に設けられ、また、右手用グリップ部４５０の第３センサー部４５３は、右手用グリップ部４５０の周面のうち、使用者が右手で把持した場合に右の手の平側で覆われる位置、第４センサー部４８３は、右手の指先側で覆われる位置、に設けられていればよい。
【００９９】
左手用グリップ部４４０及び右手用グリップ部４５０は、光センサーの配置を除いて、第２実施形態の左手用グリップ部３４０及び右手用グリップ部３５０と同じ形状を備える。
【０１００】
図２０に示すように、光センサー４４３ａは、固定抵抗４４４Ｒ１、４４４Ｒ２とともに検出回路４４３Ｃａを構成し、この検出回路４４３Ｃａには、電源４４４Ｖから電圧が印加されており、検出回路３４３Ｃａからの出力信号は制御部２９へ出力される。また、光センサー４７３ａは、固定抵抗４７４Ｒ１、４７４Ｒ２とともに検出回路４７３Ｃａを構成し、この検出回路４７３Ｃａには、電源４７４Ｖから電圧が印加されており、検出回路４７３Ｃａからの出力信号は制御部２９へ出力される。また、光センサー４５３ａは、固定抵抗４５４Ｒ１、４５４Ｒ２とともに検出回路４５３Ｃａを構成し、この検出回路４５３Ｃａには、電源４５４Ｖから電圧が印加されており、検出回路４５３Ｃａからの出力信号は制御部２９へ出力される。また、光センサー４８３ａは、固定抵抗４８４Ｒ１、４８４Ｒ２とともに検出回路４８３Ｃａを構成し、この検出回路４８３Ｃａには、電源４８４Ｖから電圧が印加されており、検出回路４８３Ｃａからの出力信号は制御部２９へ出力される。光センサー４４３ｂ乃至光センサー４４３ｅは光センサー４４３ａと同様に、光センサー４７３ｂ乃至光センサー４７３ｅは光センサー４７３ａと同様に、光センサー４５３ｂ乃至光センサー４５３ｅは光センサー４５３ａと同様に、光センサー４８３ｂ乃至光センサー４８３ｅは光センサー４８３ａと同様に、それぞれ検出回路４４３Ｃｂ〜４４３Ｃｅ、４７３Ｃｂ〜４７３Ｃｅ、４５３Ｃｂ〜４５３Ｃｅ、４８３Ｃｂ〜４８３Ｃｅを構成し、それぞれの出力が制御部２９へ出力される。
【０１０１】
第１変形例に係る体組成計による生体測定の流れは、以下の点を除いて、図９に示す第１実施形態における処理の流れと同様である。
第１変形例においては、光センサーが測定用電極及び通電用電極の両側に配置されているため、判別部２６による判別は、例えば以下のように行う。
【０１０２】
（１）使用者が左手用グリップ部４４０及び右手用グリップ部４５０を把持しているときに、左手用グリップ部４４０のセンサー部４４３、４５３、４７３、４８３のうち、出力信号が所定閾値出力を超える光センサー（複数のセンサー）の数が、（ａ）第２センサー部４７３よりも第１センサー部４５３の方が多く、かつ、（ｂ）第４センサー部４８３よりも第３センサー部４５３の方が多い場合には、左手用グリップ部４４０を左手によって、右手用グリップ部４５０を右手によって把持していると判別する。
【０１０３】
（２）使用者が左手用グリップ部４４０及び右手用グリップ部４５０を把持しているときに、左手用グリップ部４４０のセンサー部４４３、４５３、４７３、４８３のうち、出力信号が所定閾値出力を超える光センサー（複数のセンサー）の数が、（ａ）第２センサー部４７３よりも第１センサー部４５３の方が少なく、かつ、（ｂ）第４センサー部４８３よりも第３センサー部４５３の方が少ない場合には、左手用グリップ部４４０を右手によって、右手用グリップ部４５０を左手によって把持していると判別する。
【０１０４】
なお、出力信号が所定閾値出力を超える光センサーの数が、第１センサー部４４３と第２センサー部４７３とで等しい場合、及び、第３センサー部４５３と第４センサー部４８３とで等しい場合には、グリップ部４４０、４５０を使用者がいずれの手で把持しているかを判別せずに、測定処理を終了したり、又は、使用者に対して改めてグリップ部４４０、４５０を握り直すよう表示部２１に案内表示を行ったりすればよい。
【０１０５】
＜第２変形例＞
上述の第２実施形態の左手用グリップ部３４０及び右手用グリップ３５０は、測定用電極３４１、３５１を手前側に配置した状態において、光センサー３４３ａ〜３４３ｊ、３５３ａ〜３５３ｊを外側にそれぞれ配置させるものであった。これに替えて、第１実施形態の第１変形例（図１１参照）に準じて、光センサーを内側に配置してもよい。
この場合には、判別部２６は、センサー部の出力信号に基づいて、左手用グリップ部３４０及び右手用グリップ部３５０を使用者が左右いずれの手によって把持しているかを、例えば以下のように判別する。
【０１０６】
（１）使用者が左手用グリップ部３４０及び右手用グリップ部３５０を把持しているときに、（ａ）左手用グリップ部３４０のセンサー部３４３としての光センサのうち、出力信号が所定閾値出力を超える光センサー（複数のセンサー）の数が所定数未満であり、かつ、（ｂ）右手用グリップ部３５０のセンサー部３５３としての光センサーのうち、出力信号が所定閾値出力を超える光センサー（複数のセンサー）の数が所定数未満である場合には、左手用グリップ部３４０を左手によって、右手用グリップ部３５０を右手によって把持していると判別する。
（２）使用者が左手用グリップ部３４０及び右手用グリップ部３５０を把持しているときに、（ａ）左手用グリップ部３４０のセンサー部３４３としての光センサのうち、出力信号が所定閾値出力を超える光センサー（複数のセンサー）の数が所定数以上であり、かつ、（ｂ）右手用グリップ部３５０のセンサー部３５３としての光センサーのうち、出力信号が所定閾値出力を超える光センサー（複数のセンサー）の数が所定数以上である場合には、左手用グリップ部３４０を右手によって、右手用グリップ部３５０を左手によって把持していると判別する。
【０１０７】
＜第３実施形態＞
次に、本発明の第３実施形態について説明する。使用者が左右のグリップ部４０、５０の把持を間違えていると判別部２６が判別した場合（図９のステップＳ１０５でＹＥＳ）、制御部２９は、上述の第１及び第２実施形態において説明したような左右の手電極機能の切替を行う（図９のステップＳ１０５）ことに替えて、アラート処理を実行するようにしてもよい。従って、第３実施形態に係る体組成計では、電極切替部６３を備える必要はなく、その他の構成は第１実施形態や第２実施形態と同様とすればよい。
【０１０８】
アラート処理は、判別部２６による判別結果に従って、制御部２９が実行を指示する。アラート処理としては、例えば、表示部２１に所定の案内表示をしたり、スピーカー（図に示さず）からアラート音声を発したりするなど、使用者に対して、左右のグリップ部の把持を間違えていることを通知するものであればよい。このようにアラート処理を実行するプログラムをしておけば、使用者自身によって正しくグリップ部を持ち直してもらうことができ、正しい測定結果を得ることができる。なお、その他の構成、作用、効果は第１実施形態と同様である。
【０１０９】
上述の第１実施形態乃至第３実施形態に係る体組成計においては、センサー部として、歪みセンサーや光センサーを用いる例を説明したが、本発明はこれらに限定されることなく、圧電センサー、赤外線センサーなどその他のセンサーを用いてもよい。センサー部が設けられたセンサー領域において、そのセンサーの出力分布から、使用者の手が接触している分布を割り出すようにすればよい。
【０１１０】
本発明について上記実施形態を参照しつつ説明したが、本発明は上記実施形態に限定されるものではなく、改良の目的または本発明の思想の範囲内において改良または変更が可能である。
【産業上の利用可能性】
【０１１１】
以上のように、本発明に係る生体測定装置は、４つの手用電極と４つの足用電極を備えた体組成計に有用である。
【符号の説明】
【０１１２】
１０    体組成計（生体測定装置）
１１    本体部
１２    支軸
１３    表示・操作ユニット
１４、１５  保持部
２１    表示部
２２    操作部
２４    演算部
２５    記憶部
２６    判別部
２７    ロードセル
２９    制御部
３１ａ  通電用電極
３１ｂ  測定用電極
３２ａ  通電用電極
３２ｂ  測定用電極
４０    左手用グリップ部
４１    測定用電極
４２    通電用電極
４３    センサー部
４３Ｂ  ブリッジ回路
４３ａ〜４３ｅ  歪みゲージ
４３ｓ  スペース
４４Ｒ１〜４４Ｒ３  固定抵抗
４４Ｖ  電源
４５    増幅器
４６    Ａ／Ｄ変換器
４９    ケーブル
５０    右手用グリップ部
５１    測定用電極
５２    通電用電極
５３    センサー部
５３Ｂ  ブリッジ回路
５３ａ〜５３ｅ  歪みゲージ
５４Ｒ１〜５４Ｒ３  固定抵抗
５４Ｖ  電源
５５    増幅器
５６    Ａ／Ｄ変換器
５９    ケーブル
６０    生体インピーダンス測定部
６１    電源供給部
６２    電圧測定部
６３    電極切替部
６３ａ  通電用電極切替部
６３ｂ  測定用電極切替部
１４０    左手用グリップ部
１４１    測定用電極
１４２    通電用電極
１４３    センサー部
１４３ａ〜１４３ｅ  歪みゲージ
１５０    右手用グリップ部
１５１    測定用電極
１５２    通電用電極
１５３    センサー部
１５３ａ〜１５３ｅ  歪みゲージ
２４０    左手用グリップ部
２４１    測定用電極
２４２    通電用電極
２４３    第１センサー部
２４３ａ〜２４３ｅ  歪みゲージ
２４４Ｒ１〜２４４Ｒ３  固定抵抗
２４４Ｖ  電源
２４５    増幅器
２４６    Ａ／Ｄ変換器
２５０    右手用グリップ部
２５１    測定用電極
２５２    通電用電極
２５３    第３センサー部
２５３ａ〜２５３ｅ  歪みゲージ
２５４Ｒ１〜２５４Ｒ３  固定抵抗
２５４Ｖ  電源
２５５    増幅器
２５６    Ａ／Ｄ変換器
２７３    第２センサー部
２７３ａ〜２７３ｅ  歪みゲージ
２７４Ｒ１〜２７４Ｒ３  固定抵抗
２７４Ｖ  電源
２７５    増幅器
２７６    Ａ／Ｄ変換器
２８３    第４センサー部
２８３ａ〜２８３ｅ  歪みゲージ
２８４Ｒ１〜２８４Ｒ３  固定抵抗
２８４Ｖ  電源
２８５    増幅器
２８６    Ａ／Ｄ変換器
３４０    左手用グリップ部
３４１    測定用電極
３４２    通電用電極
３４３Ｂ  検出回路
３４３    センサー部
３４３ａ〜３４３ｊ  光センサー
３４４Ｒ１、３４４Ｒ２  固定抵抗
３４４Ｖ  電源
３５０    右手用グリップ部
３５１    測定用電極
３５２    通電用電極
３５３    センサー部
３５３Ｂ  検出回路
３５３ａ〜３５３ｊ  光センサー
３５４Ｒ１、３５４Ｒ２  固定抵抗
３５４Ｖ  電源
４４０    左手用グリップ部
４４１    測定用電極
４４２    通電用電極
４４３    第１センサー部
４４３ａ〜４４３ｅ  光センサー
４４４Ｒ１、４４４Ｒ２  固定抵抗
４４４Ｖ  電源
４５０    右手用グリップ部
４５１    測定用電極
４５２    通電用電極
４５３    第３センサー部
４５３ａ〜４５３ｅ  光センサー
４５４Ｒ１、４５４Ｒ２  固定抵抗
４５４Ｖ  電源
４７３    第３センサー部
４７３ａ〜４７３ｅ  光センサー
４７４Ｒ２、４７４Ｒ２  固定抵抗
４７４Ｖ  電源
４８３    第４センサー部
４８３ａ〜４８３ｅ  光センサー
４８４Ｒ２、４８４Ｒ２  固定抵抗
４８４Ｖ  電源
【図１】
2014042749.tif 000003
【図２】
2014042749.tif 000004
【図３】
2014042749.tif 000005
【図４】
2014042749.tif 000006
【図５】
2014042749.tif 000007
【図６】
2014042749.tif 000008
【図７】
2014042749.tif 000009
【図８】
2014042749.tif 000010
【図９】
2014042749.tif 000011
【図１０】
2014042749.tif 000012
【図１１】
2014042749.tif 000013
【図１２】
2014042749.tif 000014
【図１３】
2014042749.tif 000015
【図１４】
2014042749.tif 000016
【図１５】
2014042749.tif 000017
【図１６】
2014042749.tif 000018
【図１７】
2014042749.tif 000019
【図１８】
2014042749.tif 000020
【図１９】
2014042749.tif 000021
【図２０】
2014042749.tif 000022